(57)【要約】【課題】無線装置において、複数のキャリア信号を多重させたマルチキャリア信号に生じるピーク電力を低減しつつ、各キャリア信号の送信出力電力の精度を向上させる。【解決手段】無線装置は、ピーク電力低減部及び出力電力補正部を含む。ピーク電力低減部は、複数のキャリア信号を多重させたマルチキャリア信号に生じるピーク電力に応じて多重前の前記キャリア信号の利得を低減する。出力電力補正部は、マルチキャリア信号の占有帯域幅に応じた電力補正値を用いて多重前のキャリア信号の電力を補正する。【選択図】図１
2016144120.tif 000002
【特許請求の範囲】
【請求項１】
複数のキャリア信号を多重させたマルチキャリア信号に生じるピーク電力に応じて前記多重前の前記キャリア信号の利得を低減するピーク電力低減部と、
前記マルチキャリア信号の占有帯域幅に応じた電力補正値を用いて前記多重前のキャリア信号の電力を補正する出力電力補正部と
を含む無線装置。
【請求項２】
前記電力補正値が前記マルチキャリア信号の占有帯域幅毎に記録された電力補正値テーブルと、
前記キャリア信号に対応するキャリア周波数の情報を用いて前記マルチキャリア信号の占有帯域幅を算出し、算出された前記占有帯域幅に対応する電力補正値を前記電力補正値テーブルから取得して前記出力電力補正部へ通知する補正値取得部と
を含む請求項１に記載の無線装置。
【請求項３】
前記ピーク電力低減部によりピーク電力が低減される前の前記キャリア信号の第１の電力を計算する第１の電力計算部と、
前記ピーク電力低減部によりピーク電力が低減された後の前記キャリア信号の第２の電力を計算する第２の電力計算部と、
前記第１の電力計算部により計算された第１の電力と前記第２の電力計算部により計算された第２の電力との差分を検出する差分検出部と、
前記差分検出部により検出された前記差分から、前記マルチキャリア信号の占有帯域幅に応じた電力補正値を取得する補正値取得部と
を含む請求項１に記載の無線装置。
【発明の詳細な説明】
【技術分野】
【０００１】
本発明は無線装置に関する。
【背景技術】
【０００２】
無線通信システムにおいて、送信信号は、歪みを伴わずに線形的に増幅されることが望まれることが多い。しかしながら、送信信号を増幅する電力増幅器の入出力特性、すなわち、入力電力と出力電力との関係は、入力電力が大きくなるにつれて線形から非線形になり、入力電力が一定以上の大きさになると出力電力は飽和する。
【０００３】
近年の無線通信システムにおいて、無線基地局装置が送信する信号は、例えば、複数のキャリア信号が合成されたマルチキャリア信号である。マルチキャリア信号に合成される各キャリア信号の例としては、Wideband Code Division Multiple Access (WCDMA(登録商標）)信号、及びOrthogonal Frequency Division Multiplexing (OFDM)信号が挙げられる。こうした複数のキャリア信号が合成されたマルチキャリア信号は、シングルキャリア信号と比較してピーク電力対平均電力比(Peak to Average Power Ratio (PAPR)）が大きい。PAPRが大きな信号を線形増幅するために、仮に、ピーク電力に合わせて飽和出力電力が高くバックオフが大きく設けられた電力増幅器が用いられるとすれば、こうした電力増幅器を含む装置の消費電力は大きくなり、ひいては装置の大型化を招く。そこで、信号のPAPRを小さくするために、信号のピーク電力をクリッピング等により低減する処理が行われる。信号のピーク電力を低減するこうした技術は、Crest Factor Reduction (CFR)と呼ばれる。
【０００４】
なお、電力増幅器の入力制限電力に応じてピーク抑圧を行なう次のような機器が知られている。すなわち、該機器は、電力補正値生成部及び出力電力誤差補正部を備えるように構成される。電力補正値生成部は、キャリア信号の数及び周波数配置の何れか一方又は双方に関するキャリア設定とピーク抑圧設定とに基づき、当該キャリア設定下でピーク電力抑圧に起因して生じるキャリア多重信号の基準出力電力値との誤差を最小にする電力補正値を求める。出力電力誤差補正部は、電力補正値生成部により得られた電力補正値を用いてキャリア信号の多重前又は後の信号利得を補正する。
【０００５】
また、OFDM方式の信号を送信する次のような送信装置が知られている。すなわち、生成手段は、複数のOFDM信号を生成する。ベースバンド（BB）のピーク抑圧手段は、生成手段により生成された複数のOFDM信号に基づいて、各々のOFDM信号に対してピーク抑圧を行う。IF変換手段は、ベースバンドのピーク抑圧手段によりピーク抑圧が行われた各々のOFDM信号を中間周波数（IF周波数）の信号へ変換する。中間周波数のピーク抑圧手段は、IF変換手段により変換された複数の中間周波数の信号に基づいて、各々の中間周波数の信号に対してピーク抑圧を行う。合成手段は、中間周波数のピーク抑圧手段によりピーク抑圧が行われた複数の中間周波数の信号を合成する。増幅手段は、前記合成手段による合成後の信号を増幅する。ベースバンドのピーク抑圧手段は、各々のOFDM信号の絶対値の合成値を予測ピーク値として、ピーク抑圧を行う。また、中間周波数のピーク抑圧手段は、複数の中間周波数の信号の合成結果の絶対値を予測ピーク値として、ピーク抑圧を行う。
【０００６】
さらに、複素送信信号を実部信号と虚部信号に分離し、分離後の信号に対して、実数信号に対するピーク抑圧処理を行う次のようなピーク抑圧装置が知られている。すなわち、該ピーク抑圧装置は、分離後の信号から所定のサンプル数のサンプルを選択するサンプル選択部と、選択したサンプルを用いてピーク抑圧信号を算出する抑圧信号計算部とを備え、ピーク抑圧信号と分離後の信号とに基づいてピーク抑圧処理後の信号を求める。
【０００７】
そして、次のような送信機が知られている。すなわち、ベースバンドリミッタ手段は、送信対象となる複数のキャリアのデジタル信号に対してベースバンド帯においてピーク低減処理を施す。帯域制限フィルタ手段は、ピーク低減処理が施された夫々のキャリアのデジタル信号に対して帯域制限処理を施す。直交変調処理手段は、帯域制限処理が施された夫々のキャリアのデジタル信号に対して直交変調処理を施す。加算手段は、直交変調処理が施された夫々のキャリアのデジタル信号を加算する。中間周波数リミッタ手段は、加算結果の信号に対し検出されたピークの大きさに応じて重み付けした窓関数を乗算し、ピーク低減処理を施す。その際、複数のピーク低減処理が重なるときは、後の窓関数の重みを小さくして、過剰な抑圧を防ぐ。
【先行技術文献】
【特許文献】
【０００８】
【特許文献１】特開２００６−６７０７３号公報
【特許文献２】特開２００８−２９４５１９号公報
【特許文献３】特開２００９−１００２１８号公報
【特許文献４】国際公開第２００６／０４９１４０号
【発明の概要】
【発明が解決しようとする課題】
【０００９】
発明が解決しようとする課題は、無線装置において、複数のキャリア信号を多重させたマルチキャリア信号に生じるピーク電力を低減しつつ、各キャリア信号の送信出力電力の精度を向上させることである。
【課題を解決するための手段】
【００１０】
実施形態の一側面に従えば、無線装置は、ピーク電力低減部及び出力電力補正部を含む。ピーク電力低減部は、複数のキャリア信号を多重させたマルチキャリア信号に生じるピーク電力に応じて多重前の前記キャリア信号の利得を低減する。出力電力補正部は、マルチキャリア信号の占有帯域幅に応じた電力補正値を用いて多重前のキャリア信号の電力を補正する。
【発明の効果】
【００１１】
実施形態の一側面に従った無線装置によれば、複数のキャリア信号を多重させたマルチキャリア信号に生じるピーク電力を低減しつつ、各キャリア信号の送信出力電力の精度を向上させることができる。
【図面の簡単な説明】
【００１２】
【図１】第１の実施形態に従った無線装置の例示的な機能構成図である。
【図２】ピーク低減値演算部の例示的な構成図である。
【図３】第１の実施形態に従った電力補正値テーブルの例図である。
【図４Ａ】ピーク電力の低減処理が施されていない、占有帯域幅が狭いマルチキャリア信号の例図である。
【図４Ｂ】ピーク電力の低減処理が施されていない、占有帯域幅が広いマルチキャリア信号の例図である。
【図５】マルチキャリア信号の電力の時間変化の例図である。
【図６Ａ】ピーク電力の低減処理が施された、占有帯域幅が狭いマルチキャリア信号の例図である。
【図６Ｂ】ピーク電力の低減処理が施された、占有帯域幅が広いマルチキャリア信号の例図である。
【図７】第１の実施形態に従った無線装置が行うマルチキャリア信号の送信処理フローの例図である。
【図８】第１の実施形態に従った無線装置の例示的なハードウェア構成図である。
【図９】第２の実施形態に従った無線装置の例示的な機能構成図である。
【図１０】第２の実施形態に従った電力補正値テーブルの例図である。
【図１１】第２の実施形態に従った無線装置が行うマルチキャリア信号の送信処理フローの例図である。
【図１２】第３の実施形態に従った無線装置の例示的な機能構成図である。
【図１３】第３の実施形態に従った無線装置が行うマルチキャリア信号の送信処理フローの例図である。
【図１４】第４の実施形態に従った無線装置の例示的な機能構成図である。
【図１５】第４の実施形態に従った無線装置が行うマルチキャリア信号の送信処理フローの例図である。
【発明を実施するための形態】
【００１３】
以下、図面を参照しながら発明を実施するための形態を説明する。
＜第１の実施形態＞
図１は、第１の実施形態に従った無線装置の例示的な機能構成図である。図１に示す第１の実施形態に従った無線装置１００は、例えば、Third Generation Partnership Project (3GPP)の仕様書で規格されるevolved Node B (eNodeB)といった無線基地局装置の一部であってよい。また、無線装置１００は、例えば、Radio Equipment (RE)又はRemote Radio Head (RRH)と称される装置であってよい。
【００１４】
図１に示すように、無線装置１００は、制御処理部１１０、Ｎ個の信号処理部１２０−１〜１２０−Ｎ、ピーク低減値演算部１３０、合成部１４０、及び歪補償部１５０を含む。また、無線装置１００は、デジタル／アナログ変換器（Digital to Analog Converter (DAC)）１６０、無線周波数変換部１７０、電力増幅器１８０、及びアンテナ１９０を含む。ここで、記号“Ｎ”は、無線装置１００から送信されるマルチキャリア信号のキャリア数に対応する２以上の整数を表す。なお、以下の説明において、Ｎ個の同一要素を特に区別しない場合には、Ｎ個の同一要素を区別するために参照符号に付されたハイフン以降の記載を省略する。例えば、信号処理部１２０−１〜１２０−Ｎを特に区別しない場合には、信号処理部１２０と記載する。
【００１５】
Ｎ個の信号処理部１２０−１〜１２０−Ｎは、マルチキャリア信号に合成（多重）されるＮ個のキャリア信号の内、互いに異なる１つのキャリア信号を夫々処理対象とする。信号処理部１２０は、処理対象のキャリア信号を制御処理部１１０の指示に従い生成する。具体的には、信号処理部１２０は、キャリアに乗せられる前のベースバンド信号を制御処理部１１０の指示に従って信号処理し、キャリア信号を生成する。なお、以下の説明では、「キャリアに乗せられる前のベースバンド信号」を「キャリアのベースバンド信号」と呼ぶことがある。
【００１６】
信号処理部１２０−１〜１２０−Ｎにより夫々処理されるベースバンド信号＃１〜＃Ｎは、上位装置（不図示）から送信される。ベースバンド信号を信号処理部１２０へ送信する上位装置は、無線基地局装置の一部であってよい。また、上位装置は、例えば、Radio Equipment Control (REC)又はBase Band Unit (BBU)と称される装置であってよい。
【００１７】
上位装置が信号処理部１２０へ送信するベースバンド信号は、所定の無線アクセス技術(Radio Access Technology (RAT))に従った変調方式によりデータ信号が同相（In-phase）成分及び直交位相(Quadrature)成分に複素変調された信号であってよい。所定の無線アクセス技術としては、例えば、WCDMA、Long Term Evolution (LTE)、及びLTE-Advanced (LTE-A)等が挙げられる。例えば、WCDMAでは、信号処理部１２０へ送信されるベースバンド信号は、Quadrature Phase Shift Keying (QPSK)及び16 QuadratureAmplitude Modulation (16QAM)等の変調方式によってデータ信号が変調されたWCDMA信号である。また、例えば、LTE及びLTE-Aでは、信号処理部１２０へ送信されるベースバンド信号は、サブキャリア毎にQPSK、16QAM、及び64QAM等の変調方式によってデータ信号が変調されたOFDM信号である。Ｎ個のベースバンド信号は、異なる無線アクセス技術に従った変調方式によって夫々生成された信号であってよい。
【００１８】
Ｎ個の信号処理部１２０−１〜１２０−Ｎは、送信信号処理部１２１及びレプリカ信号処理部１２２を夫々含む。
【００１９】
送信信号処理部１２１は、第１のゲイン調整部１２１１、ピーク電力低減部１２１２、第２のゲイン調整部１２１３、変調部１２１４、及び出力電力補正部１２１５を含む。
【００２０】
第１のゲイン調整部１２１１は、電力増幅器１８０を経てアンテナ１９０から送信されるマルチキャリア信号の送信出力電力が所定の基準出力電力になるように、マルチキャリア信号に多重されるキャリア信号のゲインを調整する。具体的には、第１のゲイン調整部１２１１は、入力されたキャリアのベースバンド信号の出力電力を、制御処理部１１０から通知された第１のゲイン調整値に従って該キャリア信号の所定の基準出力電力に下げる。
【００２１】
また、第１の実施形態では、第１のゲイン調整部１２１１は出力電力補正部１２１５を含む。出力電力補正部１２１５は、ピーク電力低減部１２１２により低減処理されたキャリア信号の電力と該キャリア信号の所定の基準出力電力との誤差を補正する。具体的には、出力電力補正部１２１５は、入力されたベースバンド信号の出力電力を、制御処理部１１０から通知された電力補正値に従って補正する。
【００２２】
電力補正値は、第１のゲイン調整値に乗算されることによって、第１のゲイン調整値と共に制御処理部１１０から第１のゲイン調整部１２１１に通知されてよい。また、出力電力補正部１２１５を含む第１のゲイン調整部１２１１は、電力補正値が乗算された第１のゲイン調整値に従って、入力されたベースバンド信号の出力電力を調整するように構成されてよい。
【００２３】
ピーク電力低減部１２１２は、入力されたキャリアのベースバンド信号にピーク低減値（低減係数）を乗算することで、各キャリア信号が多重されたマルチキャリア信号の電力を、制御処理部１１０が設定した所定のピーク電力閾値以下に低減する。ピーク低減値はピーク低減値演算部１３０により生成される。ピーク低減値演算部１３０は、マルチキャリア信号のレプリカと制御処理部１１０から通知されたピーク電力閾値との比較に基づいてピーク低減値を算出する。マルチキャリア信号のレプリカは、送信信号処理部１２１による処理の内、ピーク電力低減部１２１２による処理がなされない各キャリア信号が合成された信号である。マルチキャリア信号のレプリカは、レプリカ信号処理部１２２による処理を通じて生成される。
【００２４】
レプリカ信号処理部１２２は、第２のゲイン調整部１２２１及び変調部１２２２を含む。第２のゲイン調整部１２２１は、送信信号処理部１２１に含まれる第２のゲイン調整部１２１３と同じ機能を有する。また、変調部１２２２は、送信信号処理部１２１に含まれる変調部１２１４と同じ機能を有する。第１のゲイン調整部１２１１から出力されたベースバンド信号は、第２のゲイン調整部１２２１に入力される。第２のゲイン調整部１２２１によりゲインが調整されたベースバンド信号は、変調部１２２２に入力される。変調部１２２２は、制御処理部１１０から通知されたキャリア周波数で周波数シフトし、キャリア信号のレプリカを生成する。
【００２５】
Ｎ個の信号処理部１２０−１〜１２０−Ｎ内の変調部１２２２により夫々生成されたキャリア信号のレプリカは、ピーク低減値演算部１３０に入力される。図２は、ピーク低減値演算部の例示的な構成図である。図２に示すように、ピーク低減値演算部１３０は、合成部１３１、電力演算部１３２、比較部１３３、及び係数算出部１３４を含む。
【００２６】
合成部１３１は、Ｎ個の信号処理部１２０−１〜１２０−Ｎ内の変調部１２２２により夫々生成されたキャリア信号のレプリカを合成（多重）することで、マルチキャリア信号のレプリカを生成する。電力演算部１３２は、合成部１３１により生成されたマルチキャリア信号のレプリカを用いて、ピーク電力低減部１２１２によるピーク電力の低減処理が施されていないマルチキャリア信号の電力値を演算する。比較部１３３は、電力演算部１３２により演算された電力値と、制御処理部１１０から通知されたピーク電力閾値とを比較し、両者の差分（誤差）を検出する。係数演算部１３３は、検出された差分に応じてピーク電力低減部１２１２でキャリアのベースバンド信号に乗算されるピーク低減値（乗算係数）を算出する。算出されたピーク低減値は、Ｎ個の送信信号処理部１２１夫々のピーク電力低減部１２１２に入力される。
【００２７】
Ｎ個のピーク電力低減部１２１２では、マルチキャリア信号のレプリカがピーク電力閾値を超えた時間区間において各キャリアのベースバンド信号に同じピーク低減値が夫々乗算される。各キャリアのベースバンド信号がピーク電力低減部１２１２により低減処理されることによって、各キャリア信号が合成（多重）されたマルチキャリア信号のPAPRは小さくなる。
【００２８】
なお、図１に示す一例では、ピーク低減値演算部１３０は、電力補正値に従った補正を伴うマルチキャリア信号のレプリカを用いてピーク低減値を演算する。すなわち、図１に示す一例では、出力電力補正部１２１５による電力補正を伴うキャリア信号のレプリカが各レプリカ信号処理部１２２により生成され、生成された各キャリアのレプリカ信号がピーク低減値演算部１３０に入力される。しかしながら、ピーク低減値演算部１３０は、電力補正値に従った補正を伴わないマルチキャリア信号のレプリカを用いてピーク低減値を演算するように構成されてもよい。そこで、各レプリカ信号処理部１２２は、電力補正値に従った補正を伴わないキャリア信号のレプリカを生成するように構成されてもよい。具体的には、各レプリカ信号処理部１２２は、出力電力補正部１２１５を含まない第１のゲイン調整部１２１１と同じ機能を有するゲイン調整部を更に含むように構成されてもよい。各レプリカ信号処理部１２２に追加されるゲイン調整部には、第１のゲイン調整部１２１１に入力されるベースバンド信号と同じベースバンド信号が入力される。そして、追加されるゲイン調整部から出力されたベースバンド信号は第２のゲイン調整部１２２１に入力される。
【００２９】
第２のゲイン調整部１２１３は、無線周波数に変換される前のマルチキャリア信号がデジタル／アナログ変換器１６０の最適動作点でデジタルからアナログへ変換されるように、マルチキャリア信号に含まれるキャリア信号のゲインを調整する。具体的には、第２のゲイン調整部１２１３は、入力されたベースバンド信号の出力電力を第２のゲイン調整値に従って上げる。第２のゲイン調整値は、第２のゲイン調整部１２１３に予め設定される。
【００３０】
変調部１２１４は、第２のゲイン調整部１２１３によりゲインが調整されたベースバンド信号を、制御処理部１１０から通知されたキャリア周波数で周波数シフトし、キャリア信号を生成する。変調部１２１４は、例えば、数値制御発振器(Numerically Controlled Oscillator (NCO))といった発振器を含む。
【００３１】
合成部１４０は、Ｎ個の信号処理部１２０−１〜１２０−Ｎ内の変調部１２１４により夫々生成されたキャリア信号を合成して、マルチキャリア信号を生成する。生成されたマルチキャリア信号に多重された各キャリア信号は、各々のキャリア周波数に応じた所定の周波数間隔で配置される。歪補償部１５０は、マルチキャリア信号の電力を電力増幅器１８０が増幅することに起因して生じるマルチキャリア信号の歪みを補償する。デジタル／アナログ変換器１６０は、歪補償部１５０による処理を経たマルチキャリア信号をデジタルからアナログに変換する。無線周波数変換部１７０は、アナログに変換されたマルチキャリア信号を所定の無線周波数の信号に変換する。電力増幅器１８０は、無線周波数のマルチキャリア信号の送信出力電力を所定の基準出力電力に増幅する。アンテナ１９０は、電力増幅器１８０により送信出力電力が増幅されたマルチキャリア信号を無線装置１００外の空間へ放射する。
【００３２】
制御処理部１１０は、信号処理部１２０の処理を制御する。具体的には、制御処理部１１０は、上位装置（不図示）から送信された、キャリア信号毎の制御情報を受信する。受信される制御情報は、キャリア周波数、第１のゲイン調整値、及び無線アクセス技術(RAT)を含む。
【００３３】
制御処理部１１０は、受信された制御情報を用いて、信号処理部１２０の処理を制御するための制御値を生成する。生成される制御値は、第１のゲイン調整値、ピーク電力閾値、キャリア周波数、及び電力補正値を含む。第１のゲイン調整値及び電力補正値として、第１のゲイン調整値に電力補正値が乗算された値が生成されてもよい。制御処理部１１０は、生成された制御値に従った処理を信号処理部１２０に実行させる。具体的には、制御処理部１１０は、第１のゲイン調整値、キャリア周波数、及び電力補正値を信号処理部１２０へ送信する。第１のゲイン調整値及び電力補正値として、第１のゲイン調整値に電力補正値が乗算された値が信号処理部１２０へ送信されてもよい。また、制御処理部１１０は、ピーク電力閾値をピーク低減値演算部１３０へ送信する。
【００３４】
制御処理部１１０は、Ｎ個の補正値生成部１１１−１〜１１１−Ｎ、閾値通知部１１２、及びＮ個の周波数通知部１１３−１〜１１３−Ｎを含む。
【００３５】
Ｎ個の補正値生成部１１１−１〜１１１−Ｎは、マルチキャリア信号に多重されるＮ個のキャリア信号の内、互いに異なる１つのキャリア信号を夫々処理対象とする。補正値生成部１１１は、処理対象のキャリア信号の第１のゲイン調整値を上位装置から受信する。また、補正値生成部１１１は、マルチキャリア信号に多重される各キャリア信号のキャリア周波数の情報を上位装置から受信する。補正値生成部１１１は、受信された各キャリア周波数の情報を用いて、処理対象のキャリア信号の電力補正値を生成する。補正値生成部１１１は、生成された電力補正値を、受信された第１のゲイン調整値に乗算する。補正値生成部１１１は、電力補正値が乗算された第１のゲイン調整値を、当該キャリア信号を処理対象とする第１のゲイン調整部１２１１へ送信する。
【００３６】
閾値通知部１１２は、送信対象のマルチキャリア信号の無線アクセス技術(RAT)の情報を上位装置から受信する。閾値通知部１１２は、受信された無線アクセス技術に従った所定のピーク電力閾値をピーク低減値演算部１３０へ送信する。
【００３７】
Ｎ個の周波数通知部１１３−１〜１１３−Ｎは、マルチキャリア信号に含まれるＮ個のキャリア信号の内、互いに異なる１つのキャリア信号を夫々処理対象とする。周波数通知部１１３は、処理対象のキャリア信号のキャリア周波数を、該キャリア信号を処理対象とする信号処理部１２０内の変調部１２１４及び変調部１２２２に通知する。具体的には、周波数通知部１１３は、処理対象のキャリア信号のキャリア周波数の情報を上位装置から受信する。周波数通知部１１３は、受信されたキャリア周波数を、当該キャリア信号を処理対象とする信号処理部１２０内の変調部１２１４及び変調部１２２２へ送信する。
【００３８】
Ｎ個の補正値生成部１１１−１〜１１１−Ｎは、電力補正値テーブル１１１１及び補正値取得部１１１２を夫々含む。
【００３９】
図３は、第１の実施形態に従った電力補正値テーブルの例図である。図３に示すように、電力補正値テーブル１１１１には、電力補正値がマルチキャリア信号の占有帯域幅毎に記録される。マルチキャリア信号の占有帯域幅とは、マルチキャリア信号に多重される複数（Ｎ個）のキャリア信号のキャリア周波数の中で、最も低いキャリア周波数と最も高いキャリア周波数との間の周波数帯域幅を指す。図３の内容例では、占有帯域幅が広いほど、出力電力補正部１２１５で増加されるゲイン（電力補正値）が大きくなることを示す。なお、本発明の電力補正値テーブルは図３の内容例に限定されるものではなく、マルチキャリア信号の占有帯域幅毎に任意の電力補正値を設定してもよい。また、占有帯域幅の区切りは、図３の内容例に限定されるものではなく、任意に設定してよい。
【００４０】
電力補正値がマルチキャリア信号の占有帯域幅毎に電力補正値テーブル１１１１に記録される理由を図４Ａ、図４Ｂ、図５、図６Ａ、及び図６Ｂを参照しながら以下に説明する。
【００４１】
図４Ａは、ピーク電力の低減処理が施されていない、占有帯域幅が狭いマルチキャリア信号の例図である。図４Ｂは、ピーク電力の低減処理が施されていない、占有帯域幅が広いマルチキャリア信号の例図である。図４Ａ及び図４Ｂは、２つ（Ｎ＝２）のキャリア信号が合成（多重）されたマルチキャリア信号を例示的に示す。また、図４Ａ及び図４Ｂに示したマルチキャリア信号は、信号処理部１２０内においてピーク電力低減部１２１２によりピーク電力の低減処理が施されていないキャリア信号が合成された信号を表す。図４Ａ及び図４Ｂのマルチキャリア信号は、同数（Ｎ＝２）のキャリア信号を含む。しかしながら、マルチキャリア信号の占有帯域幅は、各キャリア信号のキャリア周波数に従って図４Ａのように狭いケースもあれば図４Ｂのように広いケースもある。
【００４２】
図５は、マルチキャリア信号の電力の時間変化の例図である。図５には、図４Ａのように占有帯域幅が狭いマルチキャリア信号の電力の時間変化、及び図４Ｂのように占有帯域幅が広いマルチキャリア信号の電力の時間変化が、それらのマルチキャリア信号の包絡線と共に示されている。図５に示すように、占有帯域幅が広いマルチキャリア信号の電力の時間変化は、占有帯域幅が狭いマルチキャリア信号の電力の時間変化と比較して速い。すなわち、占有帯域幅が狭いマルチキャリア信号は、相対的に長い時間間隔で包絡線に沿うのに対して、占有帯域幅が広いマルチキャリア信号は、相対的に短い時間間隔で包絡線に沿う。
【００４３】
占有帯域幅が狭いマルチキャリア信号と比較して占有帯域幅が広いマルチキャリア信号が相対的に短い時間間隔で包絡線に沿う理由は例えば次のように説明できる。すなわち、マルチキャリア信号に多重される低周波数のキャリア信号を基準として、より高周波数のキャリア信号が存在する程、すなわち振幅の時間変化がより速いキャリア信号が存在する程、マルチキャリア信号には振幅の時間変化がより速い成分が含まれる。このため、マルチキャリア信号の振幅（電力）の時間変化は、低周波数側のキャリア信号を基準としてより高周波数のキャリア信号が存在する程、すなわちマルチキャリア信号の占有帯域幅が広い程速くなる。
【００４４】
このように、マルチキャリア信号の占有帯域幅の広さに応じてマルチキャリア信号の電力の時間変化が異なる。具体的には、占有帯域幅が広いマルチキャリア信号は相対的に短い時間間隔で包絡線に沿うため、占有帯域幅が広いマルチキャリア信号には、占有帯域幅が狭いマルチキャリア信号と比較して電力が大きい信号が含まれる。このため、図５に示すようなピーク電力閾値で同じようにクリッピング等の低減処理が行われるとしても、ピーク電力閾値を超える信号として低減処理の対象とされる信号の電力は、マルチキャリア信号の占有帯域幅の広さに応じて異なる。
【００４５】
具体的には、占有帯域幅が狭いマルチキャリア信号は、図５に示すように相対的に長い時間間隔で包絡線に沿う。このため、占有帯域幅が狭いマルチキャリア信号では、ピーク電力閾値を超える信号として低減処理の対象とされる信号の電力は相対的に小さい。したがって、占有帯域幅が広いマルチキャリア信号と同じピーク電力閾値で低減処理が行われたとしても、占有帯域幅が狭いマルチキャリア信号において低減される電力は、図６Ａに示すように相対的に小さい。図６Ａは、ピーク電力の低減処理が施された、占有帯域幅が狭いマルチキャリア信号の例図である。
【００４６】
一方、占有帯域幅が広いマルチキャリア信号は、図５に示すように相対的に短い時間間隔で包絡線に沿う。このため、占有帯域幅が広いマルチキャリア信号では、ピーク電力閾値を超える信号として低減処理の対象とされる信号の電力は相対的に大きい。したがって、占有帯域幅が狭いマルチキャリア信号と同じピーク電力閾値で低減処理が施されたとしても、占有帯域幅が広いマルチキャリア信号において低減される電力は、図６Ｂに示すように相対的に大きい。図６Ｂは、ピーク電力の低減処理が施された、占有帯域幅が広いマルチキャリア信号の例図である。
【００４７】
このように、ピーク電力低減部１２１２により低減処理される各キャリア信号の電力の大きさは、同じピーク低減値（低減係数）で処理されるとしても、マルチキャリア信号の占有帯域幅の広さに応じて異なる。具体的には、ピーク電力低減部１２１２による処理により低減される電力は、マルチキャリア信号の占有帯域幅が広くなるに従って大きくなる。
【００４８】
なお、図４Ａ、図４Ｂ、図５、図６Ａ、及び図６Ｂは、ピーク電力低減部１２１２により低減される電力の大きさが占有帯域幅の広さに応じて異なることを説明するための一例にすぎない。例えば、マルチキャリア信号に多重されるキャリア信号数が３つ（Ｎ＝３）であっても、ピーク電力低減部１２１２により低減される電力は、マルチキャリア信号の占有帯域幅が広くなるに従って大きくなると言える。また、例えば、マルチキャリア信号に多重される各キャリア信号の帯域幅が同じであり、各キャリア信号が同じ周波数間隔で配置されると仮定すると、マルチキャリア信号に多重されるキャリア信号の数が増えるに従ってマルチキャリア信号の占有帯域幅は広くなる。したがって、こうした仮定の下でも、ピーク電力低減部１２１２により低減される電力は、キャリア信号の数（Ｎ）が増えるに従って、すなわちマルチキャリア信号の占有帯域幅が広くなるに従って大きくなると言える。
【００４９】
前述したように、出力電力補正部１２１５は、ピーク電力低減部１２１２によりピーク電力が低減処理されたキャリア信号の電力と該キャリア信号の所定の基準出力電力との誤差を抑制する。具体的には、出力電力補正部１２１５は、制御処理部１１０から通知された電力補正値に従ってキャリア信号の電力を補正する。しかしながら、ピーク電力低減部１２１２により低減される電力の大きさはマルチキャリア信号の占有帯域幅の広さに応じて異なるため、補正対象とされる誤差の値、すなわち電力補正値は、マルチキャリア信号の占有帯域幅の広さに応じて異なる。そこで、マルチキャリア信号の占有帯域幅の広さに対応した電力補正値を補正値生成部１１１が第１のゲイン調整部１２１１に通知するために、電力補正値テーブル１１１１には、マルチキャリア信号の占有帯域幅毎の電力補正値が予め記録される。
【００５０】
補正値取得部１１１２は、処理対象のキャリア信号の第１のゲイン調整値を上位装置から受信する。また、補正値取得部１１１２は、マルチキャリア信号に多重される各キャリア信号のキャリア周波数の情報を上位装置から受信する。補正値取得部１１１２は、受信されたキャリア周波数の情報を参照して、最も高いキャリア周波数から最も低いキャリア周波数を減算することで、マルチキャリア信号の占有帯域幅を算出する。補正値取得部１１１２は、算出された占有帯域幅に対応する電力補正値を電力補正値テーブル１１１１から取得する。補正値取得部１１１２は、取得された電力補正値を、受信された第１のゲイン調整値に乗算する。補正値取得部１１１２は、電力補正値が乗算された第１のゲイン調整値を、当該キャリア信号を処理対象とする第１のゲイン調整部１２１１へ送信する。
【００５１】
第１のゲイン調整部１２１１は、電力補正値が乗算された第１のゲイン調整値を補正値取得部１１１２から受信する。第１のゲイン調整部１２１１は、電力補正値が乗算された第１のゲイン調整値に従って、処理対象のキャリアのベースバンド信号の電力を該キャリア信号の所定の基準出力電力に対応させて調整する。すなわち、第１のゲイン調整部１２１１は、出力電力補正部１２１５による補正処理を伴って、処理対象のキャリアのベースバンド信号の電力を調整する。
【００５２】
なお、補正値取得部１１１２は、電力補正値及び第１のゲイン調整値を別々に第１のゲイン調整部１２１１へ送信するように構成されてもよい。第１のゲイン調整部１２１１は、受信された第１のゲイン調整値に従って、入力されたキャリアのベースバンド信号の出力電力を該キャリア信号の所定の基準出力電力に対応させて下げるように構成されてもよい。第１のゲイン調整部１２１１に含まれる出力電力補正部１２１５は、第１のゲイン調整値に従って下げられた、キャリアのベースバンド信号の出力電力を、受信された電力補正値に従って補正するように構成されてもよい。
【００５３】
補正値生成部１１１及び出力電力補正部１２１５による上述の処理を通じて、ピーク電力が低減処理されたキャリア信号の送信出力電力と該キャリア信号の基準出力電力との誤差はマルチキャリア信号の占有帯域幅の広さに対応して予め抑制される。この結果、マルチキャリア信号に多重される各キャリア信号の送信出力電力の精度は、マルチキャリア信号の占有帯域幅の広さに関係なく向上する。
【００５４】
無線装置１００が行うマルチキャリア信号の送信方法の一例を説明する。図７は、第１の実施形態に従った無線装置が行うマルチキャリア信号の送信処理フローの例図である。図７に示す一例では、制御処理部１１０により設定される制御値は、電力補正値が乗算された第１のゲイン調整値、ピーク電力閾値、及びキャリア周波数である。なお、図７において、ステップＳ１００３、ステップＳ１００４、及びステップＳ１００５〜ステップＳ１００６の各処理は時間的に並行して行われてよい。
【００５５】
マルチキャリア信号を送信するための一連の処理が開始されると（ステップＳ１００１）、制御処理部１１０は、上位装置から制御情報を受信する（ステップＳ１００２）。具体的には、補正値取得部１１１２は、処理対象のキャリア信号の第１のゲイン調整値と各キャリア信号のキャリア周波数の情報とを上位装置から受信する。閾値通知部１１２は、送信対象のマルチキャリア信号の無線アクセス技術の情報を上位装置から受信する。周波数通知部１１３は、処理対象のキャリア信号のキャリア周波数の情報を上位装置から受信する。
【００５６】
ステップＳ１００３において、閾値通知部１１２は、受信された無線アクセス技術に従った所定のピーク電力閾値をピーク低減値演算部１３０へ送信する。ピーク低減値演算部１３０はピーク電力閾値を閾値通知部１１２から受信する。ピーク低減値演算部１３０は、受信されたピーク電力閾値を、各送信信号処理部１２１が生成したキャリア信号が多重されたマルチキャリア信号の電力閾値として設定する。
【００５７】
ステップＳ１００４において、周波数通知部１１３は、受信されたキャリア周波数の値を、当該キャリア信号を処理対象とする信号処理部１２０内の変調部１２１４、１２２２へ送信する。変調部１２１４、１２２２は、処理対象のキャリア信号のキャリア周波数を周波数通知部１１３から受信する。変調部１２１４、１２２２は、入力されたベースバンド信号を変調するためのキャリア周波数として、受信されたキャリア周波数を設定する。
【００５８】
ステップＳ１００５において、補正値取得部１１１２は、受信されたキャリア周波数の情報を参照して、最も高いキャリア周波数から最も低いキャリア周波数を減算することで、マルチキャリア信号の占有帯域幅を算出する。補正値取得部１１１２は、算出された占有帯域幅に対応する電力補正値を電力補正値テーブル１１１１から取得する。補正値取得部１１１２は、取得された電力補正値を、受信された第１のゲイン調整値に乗算する。補正値取得部１１１２は、電力補正値が乗算された第１のゲイン調整値を、当該キャリア信号を処理対象とする第１のゲイン調整部１２１１へ送信する。
【００５９】
ステップＳ１００６において、第１のゲイン調整部１２１１は、電力補正値が乗算された第１のゲイン調整値を補正値取得部１１１２から受信する。第１のゲイン調整部１２１１は、出力電力補正部１２１５を含む当該第１のゲイン調整部１２１１により調整されるゲイン調整値として、電力補正値が乗算された第１のゲイン調整値を設定する。
【００６０】
ステップＳ１００７において、無線装置１００は、設定された制御値に従ってマルチキャリア信号の送信を開始する。具体的には、第１のゲイン調整部１２１１は、上位装置から送信されたキャリアのベースバンド信号を受信する。そして、各送信信号処理部１２１は、設定された制御値に従ってキャリア信号を生成する。各送信信号処理部１２１により生成されたキャリア信号は、合成部１４０により合成され、マルチキャリア信号が生成される。合成部１４０により生成されたマルチキャリア信号は、歪補償部１５０、デジタル／アナログ変換器１６０、無線周波数変換部１７０、及び電力増幅器１８０による処理を経て、アンテナ１９０を介して送信される。マルチキャリア信号の送信が終了すると、一連の処理は終了する（ステップＳ１００８）。
【００６１】
無線装置１００は、例えば、図８に示すハードウェアにより構成される。図８は、第１の実施形態に従った無線装置の例示的なハードウェア構成図である。図８に示すように、無線装置２００は、プロセッサ２１０、メモリ２２０、Field Programmable Gate Array (FPGA)２３０、DAC２４０、アップコンバータ２５０、電力増幅器２６０、フィルタ２７０、及びアンテナ２８０を含む。
【００６２】
プロセッサ２１０は、Central Processing Unit (CPU)いった演算処理を行う論理回路である。プロセッサ２１０は、無線装置２００に含まれる各部の動作を制御する。プロセッサ２１０は、制御処理部１１０及びピーク電力値演算部１３０に対応する。
【００６３】
メモリ２２０は、プロセッサ２１０により実行される処理プログラム、プロセッサ２１０による処理に用いられるデータ、及びプロセッサ２１０による処理結果のデータが記憶される装置である。メモリ２２０は、電力補正値テーブル１１１１を含む。
【００６４】
FPGA２３０は、通信インタフェース２３０１及びDigital Pre-distortion (DPD)２３０２を含む。
【００６５】
通信インタフェース２３０１は、ベースバンドのデータ信号及び制御信号を所定の通信規格に従って無線装置２００と上位装置（不図示）との間で送受信するためのインタフェースである。所定の通信規格の一例としては、Common Public Radio Interface (CPRI)及びOpen Base Station Architecture Initiative (OBSAI)等が挙げられる。通信インタフェース２３０１は、例えば、上位装置から受信したデータ信号をDPD２３０２へ転送し、上位装置から受信した制御信号をプロセッサ２１０へ転送する。
【００６６】
DPD２３０２は、上位装置から送信されたベースバンドのデータ信号を通信インタフェース２３０１を介して受信する。DPD２３０２は、受信されたデータ信号をプロセッサ２１０から受信した制御信号に従ってデジタル処理する。DPD２３０２は、Ｎ個の信号処理部１２０−１〜１２０−Ｎ、ピーク電力値演算部１３０、合成部１４０、及び歪補償部１５０に対応する。
【００６７】
DAC２４０は、DPD２３０２により処理されたデータ信号をデジタルからアナログへ変換する。DAC２４０は、デジタル／アナログ変換器１６０に対応する。アップコンバータ２５０は、アナログ変換されたデータ信号を無線周波数へアップコンバートする。アップコンバータ２５０は、無線周波数変換部１７０に対応する。
【００６８】
電力増幅器２６０は、無線周波数のデータ信号の送信出力電力を所定の基準出力電力に増幅する。電力増幅器２６０は、電力増幅器１８０に対応する。フィルタ２７０は、アンテナ２８０から送信されるデータ信号とアンテナ２８０から受信されたデータ信号とを分ける分波器である。アンテナ２８０は、フィルタ２７０を介して入力されたデータ信号を無線装置２００と通信する無線端末装置（不図示）へ向けて放射し、無線端末装置から受信されたデータ信号をフィルタ２７０へ出力する。アンテナ２８０は、アンテナ１９０に対応する。
【００６９】
このように、第１の実施形態に従った無線装置によれば、次のような効果が得られる。すなわち、ピーク電力の低減処理が施されたキャリア信号の送信出力電力と該キャリア信号の所定の基準出力電力との誤差は、マルチキャリア信号に多重される各キャリア信号の生成過程においてマルチキャリア信号の占有帯域幅の広さに応じて抑制される。この結果、第１の実施形態に従った無線装置によれば、マルチキャリア信号に多重される各キャリア信号の送信出力電力の精度は、マルチキャリア信号の占有帯域幅の広さに関係なく向上する。
【００７０】
＜第２の実施形態＞
第１の実施形態では、出力電力補正部１２１５は、第１のゲイン調整部１２１１に含まれる。このため、ピーク電力の低減処理が施されたキャリア信号の送信出力電力と該キャリア信号の所定の基準出力電力との誤差は、キャリア信号に対してピーク電力の低減処理が施される前に抑制される。しかしながら、無線装置は、キャリア信号に対してピーク電力の低減処理が施された後にこうした誤差を抑制するように構成されてもよい。
【００７１】
図９は、第２の実施形態に従った無線装置の例示的な機能構成図である。図９において、第２の実施形態に従った無線装置３００の構成要素の内、無線装置１００（図１参照）と同じ構成要素には、無線装置１００の該構成要素の参照符号と同じ参照符号が付されている。無線装置３００は、例えば、図８に示したハードウェアにより構成される。
【００７２】
図９に示すように、無線装置３００は、制御処理部１１０（図１参照）に代わって制御処理部３１０を含む。また、無線装置３００は、信号処理部１２０（図１参照）に代わって信号処理部３２０を含む。
【００７３】
Ｎ個の信号処理部３２０−１〜３２０−Ｎは、送信信号処理部１２１（図１参照）に代わって送信信号処理部３２１を夫々含む。また、Ｎ個の信号処理部３２０−１〜３２０−Ｎは、レプリカ信号処理部１２２（図１参照）に代わってレプリカ信号処理部３２２を夫々含む。
【００７４】
送信信号処理部３２１は、第１のゲイン調整部１２１１（図１参照）に代わって第１のゲイン調整部３２１１を含む。送信信号処理部３２１は、第２のゲイン調整部１２１３（図１参照）に代わって第２のゲイン調整部３２１２を含む。送信信号処理部３２１は、出力電力補正部１２１５（図１参照）に代わって出力電力補正部３２１３を含む。
【００７５】
第１のゲイン調整部３２１１は、電力増幅器１８０を経てアンテナ１９０から送信されるマルチキャリア信号の送信出力電力が所定の基準出力電力になるように、マルチキャリア信号に多重されるキャリア信号のゲインを調整する。具体的には、第１のゲイン調整部３２１１は、入力されたキャリアのベースバンド信号の出力電力を、制御処理部３１０から通知された第１のゲイン調整値に従って該キャリア信号の所定の基準出力電力に下げる。
【００７６】
このように、第１のゲイン調整部３２１１は、第１のゲイン調整部１２１１と同様の機能を有する。しかしながら、第１のゲイン調整部３２１１は、第１のゲイン調整部１２１１とは異なり出力電力補正部１２１５（図１参照）を含まない。
【００７７】
第２のゲイン調整部３２１２は、デジタル／アナログ変換器１６０の最適動作点でマルチキャリア信号がデジタルからアナログへ変換されるように、マルチキャリア信号に多重されるキャリア信号のゲインを調整する。具体的には、第２のゲイン調整部３２１２は、入力されたベースバンド信号の出力電力を、制御処理部３１０から通知された第２のゲイン調整値に従って上げる。
【００７８】
このように、第２のゲイン調整部３２１２は、第２のゲイン調整部１２１３と同様の機能を有する。しかしながら、第２のゲイン調整値が制御処理部３１０から通知される点で、第２のゲイン調整部３２１２は、第２のゲイン調整値が予め設定された第２のゲイン調整部１２１３とは異なる。また、第２のゲイン調整部３２１２は、第２のゲイン調整部１２１３とは異なり出力電力補正部３２１３を含む。
【００７９】
出力電力補正部３２１３は、ピーク電力低減部１２１２によりピーク電力の低減処理が施されたキャリア信号の電力と該キャリア信号の所定の基準出力電力との誤差を補正する。具体的には、出力電力補正部３２１３は、入力されたベースバンド信号の出力電力を、制御処理部３１０から通知された電力補正値に従って補正する。
【００８０】
このように、出力電力補正部３２１３は、出力電力補正部１２１５と同様の機能を有する。しかしながら、出力電力補正部３２１３が第２のゲイン調整部３２１２に含まれる点で、出力電力補正部３２１３は、第１のゲイン調整部１２１１に含まれる出力電力補正部１２１５とは異なる。
【００８１】
電力補正値は、第２のゲイン調整値と乗算されることによって、第２のゲイン調整値と共に制御処理部３１０から第２のゲイン調整部３２１２に通知されてもよい。また、出力電力補正部３２１３を含む第２のゲイン調整部３２１２は、電力補正値が乗算された第２のゲイン調整値に従って、入力されたベースバンド信号の出力電力を調整するように構成されてもよい。
【００８２】
レプリカ信号処理部３２２は、送信信号処理部３２１による処理の内、ピーク電力低減部１２１２による処理がなされないキャリア信号を生成する。レプリカ信号処理部３２２は、第２のゲイン調整部１２２１（図１参照）に代わって第２のゲイン調整部３２２１を含む。第２のゲイン調整部３２２１は、出力電力補正部３２２２を含む。第２のゲイン調整部３２２１は、送信信号処理部３２１に含まれる第２のゲイン調整部３２１２と同じ機能を有する。出力電力補正部３２２２は、送信信号処理部３２１に含まれる出力電力補正部３２１３と同じ機能を有する。
【００８３】
図９に示す一例では、ピーク低減値演算部１３０は、電力補正値に従った補正を伴うマルチキャリア信号のレプリカを用いてピーク低減値を演算する。すなわち、図９に示す一例では、出力電力補正部３２２２による電力補正を伴うキャリア信号のレプリカが各レプリカ信号処理部３２２により生成され、生成された各キャリアのレプリカ信号がピーク低減値演算部１３０に入力される。しかしながら、ピーク低減値演算部１３０は、電力補正値に従った補正を伴わないマルチキャリア信号のレプリカを用いてピーク低減値を演算するように構成されてもよい。そこで、各レプリカ信号処理部３２２は、電力補正値に従った補正を伴わないキャリア信号のレプリカを生成するように構成してもよい。具体的には、各レプリカ信号処理部３２２は、第２のゲイン調整部３２２１内に出力電力補正部３２２２を含まないように構成されてもよい。
【００８４】
制御処理部３１０は、Ｎ個の補正値生成部１１１−１〜１１１−Ｎ（図１参照）に代わってＮ個の調整値通知部３１１−１〜３１１−Ｎを含む。また、制御処理部３１０は、Ｎ個の補正値生成部３１２−１〜３１２−Ｎを含む。
【００８５】
調整値通知部３１１は、処理対象のキャリア信号の第１のゲイン調整値を上位装置から受信する。調整値通知部３１１は、受信された第１のゲイン調整値を、当該キャリア信号を処理対象とする第１のゲイン調整部３２１１へ送信する。このように調整値通知部３１１は、補正値生成部１１１（図１参照）の一部の機能と同様の機能を有する。しかしながら、調整値通知部３１１は、電力補正値を生成及び送信しない点で補正値生成部１１１とは異なる。
【００８６】
補正値生成部３１２は、処理対象のキャリア信号の第２のゲイン補正値を予め保持する。また、補正値生成部３１２は、マルチキャリア信号に多重される各キャリア信号のキャリア周波数の情報を上位装置から受信する。補正値生成部３１２は、受信された各キャリア周波数の情報を用いて、処理対象のキャリア信号の電力補正値を生成する。補正値生成部３１２は、生成された電力補正値を、保持される第２のゲイン調整値に乗算する。補正値生成部３１２は、電力補正値が乗算された第２のゲイン調整値を、当該キャリア信号を処理対象とする信号処理部３２０内の第２のゲイン調整部３２１２、３２２１へ送信する。
【００８７】
このように、補正値生成部３１２は、上位装置から受信された各キャリア周波数の情報を用いて電力補正値を生成する点で、補正値生成部１１１と同様の機能を有する。しかしながら、補正値生成部３１２は、第２のゲイン調整値を予め保持する点で、上位装置から第１のゲイン調整値を受信する補正値生成部１１１とは異なる。また、補正値生成部３１２は、電力補正値が乗算された第２のゲイン調整値を第２のゲイン調整部３２１２、３２２１へ送信する点で、電力補正値が乗算された第１のゲイン調整値を第１のゲイン調整部１２１１へ送信する補正値生成部１１１とは異なる。
【００８８】
Ｎ個の補正値生成部３１２−１〜３１２−Ｎは、電力補正値テーブル３１２１及び補正値取得部３１２２を夫々含む。
【００８９】
電力補正値テーブル３１２１には、電力補正値がマルチキャリア信号の占有帯域幅毎に記録される。電力補正値テーブル３１２１は、図３に示したような電力補正値テーブル１１１１と同様のテーブルであってよい。
【００９０】
補正値取得部３１２２は、マルチキャリア信号に多重される各キャリア信号のキャリア周波数の情報を上位装置から受信する。補正値取得部３１２２は、受信されたキャリア周波数の情報を参照して、最も高いキャリア周波数から最も低いキャリア周波数を減算することで、マルチキャリア信号の占有帯域幅を算出する。補正値取得部３１２２は、算出された占有帯域幅に対応する電力補正値を電力補正値テーブル３１２１から取得する。補正値取得部３１２２は、取得された電力補正値を、予め保持された第２のゲイン調整値に乗算する。補正値取得部３１２２は、電力補正値が乗算された第２のゲイン調整値を、当該キャリア信号を処理対象とする信号処理部３２０内の第２のゲイン調整部３２１２、３２２１へ送信する。
【００９１】
第２のゲイン調整部３２１２は、電力補正値が乗算された第２のゲイン調整値を補正値取得部３１２２から受信する。第２のゲイン調整部３２１２は、電力補正値が乗算された第２のゲイン調整値に従って、処理対象のキャリア信号の出力電力を、デジタル／アナログ変換器１６０が最適動作点で動作するように調整する。すなわち、第２のゲイン調整部３２１２は、出力電力補正部３２１３による補正処理を伴って、処理対象のキャリアのベースバンド信号の電力を調整する。第２のゲイン調整部３２２１は、第２のゲイン調整部３２１２と同様に動作する。
【００９２】
なお、補正値取得部３１２２は、電力補正値及び第２のゲイン調整値を別々に、当該キャリア信号を処理対象とする第２のゲイン調整部３２１２、３２２１へ送信するように構成されてもよい。第２のゲイン調整部３２１２は、受信された第２のゲイン調整値に従って、入力されたキャリアのベースバンド信号の出力電力を該キャリア信号の所定の基準出力電力に対応させて下げるように構成されてもよい。第２のゲイン調整部３２１２に含まれる出力電力補正部３２１３は、第２のゲイン調整値に従って下げられた、キャリアのベースバンド信号の出力電力を、受信された電力補正値に従って補正するように構成されてもよい。第２のゲイン調整部３２２１及び出力電力補正部３２２２は、第２のゲイン調整部３２１２及び出力電力補正部３２１３と同様に動作するように構成されてもよい。
【００９３】
補正値生成部３１２及び出力電力補正部３２１３による上述の処理を通じて、ピーク電力の低減処理が施されたキャリア信号の送信出力電力と該キャリア信号の所定の基準出力電力との誤差は、マルチキャリア信号の占有帯域幅の広さに対応して抑制される。この結果、マルチキャリア信号に含まれる各キャリア信号の送信出力電力の精度は、マルチキャリア信号の占有帯域幅の広さに関係なく向上する。
【００９４】
なお、補正値生成部３１２は、以下の説明のように更に構成されてもよい。
補正値取得部３１２２が第２のゲイン調整値を予め保持する代わりに、図１０に示すように、電力補正値テーブル３１２１には、第２のゲイン調整値が乗算された電力補正値がマルチキャリア信号の占有帯域幅毎に記録される。図１０は、第２の実施形態に従った電力補正値テーブルの例図である。
【００９５】
補正値取得部３１２２は、マルチキャリア信号に多重される各キャリア信号のキャリア周波数の情報を上位装置から受信する。補正値取得部３１２２は、受信されたキャリア周波数の情報を参照して、最も高いキャリア周波数から最も低いキャリア周波数を減算することで、マルチキャリア信号の占有帯域幅を算出する。補正値取得部３１２２は、算出された占有帯域幅に対応する電力補正値を電力補正値テーブル３１２１から取得する。取得される電力補正値には、第２のゲイン調整値が予め乗算されている。補正値取得部３１２２は、取得された電力補正値を、当該キャリア信号を処理対象とする信号処理部３２０内の第２のゲイン調整部３２１２、３２２１へ送信する。
【００９６】
第２のゲイン調整部３２１２は、第２のゲイン調整値が乗算された電力補正値を補正値取得部３１２２から受信する。第２のゲイン調整部３２１２は、第２のゲイン調整値が乗算された電力補正値に従って、入力されたキャリア信号の出力電力を、デジタル／アナログ変換器１６０が最適動作点で動作するように調整する。すなわち、第２のゲイン調整部３２１２は、出力電力補正部３２１３による補正処理を伴って、処理対象のキャリアのベースバンド信号の電力を調整する。第２のゲイン調整部３２２１は、第２のゲイン調整部３２１２と同様に動作する。
【００９７】
上記のような構成によっても、ピーク電力の低減処理が施されたキャリア信号の送信出力電力と該キャリア信号の所定の基準出力電力との誤差は、マルチキャリア信号の占有帯域幅の広さに対応して抑制される。この結果、マルチキャリア信号に含まれる各キャリア信号の送信出力電力の精度は、マルチキャリア信号の占有帯域幅の広さに関係なく向上する。
【００９８】
また、上記のような構成によれば、補正値生成部３１２において第２のゲイン調整値と電力補正値とを乗算する処理が必要ないため、補正値生成部３１２を含む制御処理部３１０の処理を簡素化及び高速化できる。
【００９９】
無線装置３００が行うマルチキャリア信号の送信方法の一例を説明する。図１１は、第２の実施形態に従った無線装置が行うマルチキャリア信号の送信処理フローの例図である。図１１に示す一例では、制御処理部３１０により設定される制御値は、第１のゲイン調整値、ピーク電力閾値、キャリア周波数、及び第２のゲイン調整値が乗算された電力補正値である。なお、図１１において、ステップＳ２００３、ステップＳ２００４、ステップＳ２００５、及びステップＳ２００６〜ステップＳ２００７の各処理は時間的に並行して行われてよい。
【０１００】
マルチキャリア信号を送信するための一連の処理が開始されると（ステップＳ２００１）、制御処理部３１０は、上位装置から制御情報を受信する（ステップＳ２００２）。具体的には、調整値通知部３１１は、処理対象のキャリア信号の第１のゲイン設定値を上位装置から受信する。閾値通知部１１２は、送信対象のマルチキャリア信号の無線アクセス技術の情報を上位装置から受信する。補正値取得部３１２２は、各キャリア信号のキャリア周波数の情報を上位装置から受信する。周波数通知部１１３は、処理対象のキャリア信号のキャリア周波数の情報を上位装置から受信する。
【０１０１】
ステップＳ２００３において、調整値通知部３１１は、受信された第１のゲイン設定値を、当該キャリア信号を処理対象とする第１のゲイン調整部３２１１へ送信する。第１のゲイン調整部３２１１は、処理対象のキャリア信号の第１のゲイン設定値を調整値通知部３１１から受信する。第１のゲイン調整部３２１１は、入力されたキャリアのベースバンド信号の出力電力を該キャリア信号の所定の基準出力電力に調整する値として、受信された第１のゲイン調整値を設定する。
【０１０２】
ステップＳ２００４において、閾値通知部１１２は、受信された無線アクセス技術に従った所定のピーク電力閾値をピーク低減値演算部１３０へ送信する。ピーク低減値演算部１３０はピーク電力閾値を閾値通知部１１２から受信する。ピーク低減値演算部１３０は、受信されたピーク電力閾値を、各送信信号処理部３２１が生成したキャリア信号が多重されたマルチキャリア信号の電力閾値として設定する。
【０１０３】
ステップＳ２００５において、周波数通知部１１３は、受信されたキャリア周波数の値を、当該キャリア信号を処理対象とする信号処理部３２０内の変調部１２１４、１２２２へ送信する。変調部１２１４、１２２２は、処理対象のキャリア信号のキャリア周波数を周波数通知部１１３から受信する。変調部１２１４、１２２２は、入力されたベースバンド信号を変調するためのキャリア周波数として、受信されたキャリア周波数を設定する。
【０１０４】
ステップＳ２００６において、補正値取得部３１２２は、受信されたキャリア周波数の情報を参照して、最も高いキャリア周波数から最も低いキャリア周波数を減算することで、マルチキャリア信号の占有帯域幅を算出する。補正値取得部３１２２は、算出された占有帯域幅に対応する電力補正値を電力補正値テーブル３１２１から取得する。取得される電力補正値には、第２のゲイン調整値が予め乗算されている。すなわち、第２のゲイン調整値はマルチキャリア信号の占有帯域幅に依存せず固定の値が用いられるため、占有帯域幅に対応する電力補正値に第２のゲイン調整値を予め乗算した値を電力補正値テーブル３１２１に格納しておくことができる。補正値取得部３１２２は、取得された電力補正値を、当該キャリア信号を処理対象とする信号処理部３２０内の第２のゲイン調整部３２１２、３２２１へ送信する。
【０１０５】
ステップＳ２００７において、第２のゲイン調整部３２１２は、第２のゲイン調整値が乗算された電力補正値を補正値取得部３１２２から受信する。第２のゲイン調整部３２１２は、出力電力補正部３２１３を含む当該第２のゲイン調整部３２１２により調整されるゲイン調整値として、第２のゲイン調整値が乗算された電力補正値を設定する。第２のゲイン調整部３２２１は、第２のゲイン調整部３２１２により行われるこうした処理と同様の処理を行う。
【０１０６】
ステップＳ２００８において、無線装置３００は、設定された制御値に従ってマルチキャリア信号の送信を開始する。具体的には、第１のゲイン調整部３２１１は、上位装置から送信されたキャリアのベースバンド信号を受信する。各送信信号処理部３２１は、設定された制御値に従ってキャリア信号を生成する。各送信信号処理部３２１により生成されたキャリア信号は、合成部１４０により合成され、マルチキャリア信号が生成される。合成部１４０により生成されたマルチキャリア信号は、歪補償部１５０、デジタル／アナログ変換器１６０、無線周波数変換部１７０、及び電力増幅器１８０による処理を経て、アンテナ１９０を介して送信される。マルチキャリア信号の送信が終了すると、一連の処理は終了する（ステップＳ２００９）。
【０１０７】
このように、第２の実施形態に従った無線装置３００によっても、第１の実施形態に従った無線装置１００により得られる効果と同様の効果が得られる。また、第２の実施形態に従った無線装置３００によれば、ピーク電力の低減処理が施されたキャリア信号の送信出力電力と該キャリア信号の所定の基準出力電力との誤差を補正する処理を簡素化及び高速化できる。
【０１０８】
＜第３の実施形態＞
第１の実施形態では、無線装置は、ピーク電力の低減処理が施されたキャリア信号の送信出力電力と該キャリア信号の所定の基準出力電力との誤差を、キャリア信号に対してピーク電力の低減処理が施される前に抑制する。また、第１の実施形態では、無線装置は、こうした誤差を補正するためにマルチキャリア信号の占有帯域幅毎の電力補正値を予め保持する。しかしながら、無線装置は、送信対象のマルチキャリア信号に多重されるキャリア信号に対する電力補正値を、該キャリア信号を生成する間に生成するように構成されてもよい。
【０１０９】
図１２は、第３の実施形態に従った無線装置の例示的な機能構成図である。図１２において、第３の実施形態に従った無線装置４００の構成要素の内、無線装置１００（図１参照）と同じ構成要素には、無線装置１００の該構成要素の参照符号と同じ参照符号が付されている。無線装置４００は、例えば、図８に示したハードウェアにより構成される。
【０１１０】
図１２に示すように、無線装置４００は、制御処理部１１０（図１参照）に代わって制御処理部４１０を含む。制御処理部４１０は、Ｎ個の補正値生成部１１１−１〜１１１−Ｎ（図１参照）に代わってＮ個の補正値生成部４１１−１〜４１１−Ｎを含む。
【０１１１】
補正値生成部４１１は、処理対象のキャリア信号に対する電力補正値の初期値をマルチキャリア信号の占有帯域幅毎に記憶する。例えば、補正値生成部４１１は、図３に示すような電力補正値テーブルを記憶する。
【０１１２】
補正値生成部４１１は、処理対象のキャリア信号の第１のゲイン調整値を上位装置から受信する。また、補正値生成部４１１は、マルチキャリア信号に多重される各キャリア信号のキャリア周波数の情報を上位装置から受信する。補正値生成部４１１は、受信された各キャリア周波数の情報を用いて、マルチキャリア信号の占有帯域幅を計算する。補正値生成部４１１は、計算された占有帯域幅に対応する電力補正値の初期値を、予め記憶された電力補正値の初期値の中から選択する。補正値生成部４１１は、選択された電力補正値の初期値を、当該キャリア信号を処理対象とする出力電力補正部１２１５に用いられる電力補正値として保持する。補正値生成部４１１は、保持された電力補正値を、受信された第１のゲイン調整値に乗算する。補正値生成部４１１は、電力補正値が乗算された第１のゲイン調整値を、当該キャリア信号を処理対象とする第１のゲイン調整部１２１１へ送信する。
【０１１３】
また、マルチキャリア信号の送信が開始された後、補正値生成部４１１は、処理対象のキャリア信号から電力補正値を生成する。具体的には、補正値生成部４１１は、第１の電力及び第２の電力を計算する。第１の電力は、ピーク電力の低減処理が施される前のキャリア信号の電力であり、具体的には、ピーク電力低減部１２１２に入力されるキャリアのベースバンド信号の電力である。第２の電力は、ピーク電力の低減処理が施された後のキャリア信号の電力であり、具体的には、ピーク電力低減部１２１２から出力されたキャリアのベースバンド信号の電力である。補正値生成部４１１は、第１の電力と第２の電力との差分値を用いて新たな電力補正値を計算する。
【０１１４】
第１の実施形態と同様に、ピーク電力低減部１２１２は、入力されたキャリアのベースバンド信号にピーク低減値を乗算することで、各キャリア信号が多重されたマルチキャリア信号の電力を、制御処理部４１０が設定した所定のピーク電力閾値以下に低減する。ピーク低減値は、レプリカ信号処理部１２２による処理を経て生成されたマルチキャリア信号のレプリカと制御処理部１１０から通知されたピーク電力閾値とが比較されることを通じて、ピーク低減値演算部１３０により算出される。ピーク低減値の算出に用いられるマルチキャリア信号のレプリカは、マルチキャリア信号と同じ占有帯域幅を有する。このため、ピーク低減値は、マルチキャリア信号の占有帯域幅に従って算出された値と言え、該ピーク低減値を用いてピーク電力低減部１２１２から出力された第２の電力もまた、マルチキャリア信号の占有帯域幅に従って低減処理された電力と言える。従って、第１の電力と第２の電力との差分値から生成される電力補正値は、マルチキャリア信号の占有帯域幅に従って生成される値と言える。
【０１１５】
補正値生成部４１１は、第１の電力と第２の電力との差分値と、補正値生成部４１１が既に保持する電力補正値とから、当該キャリア信号を処理対象とする出力電力補正部１２１５に新たに用いられる電力補正値を生成する。例えば、補正値生成部４１１は、第１の電力と第２の電力との差分値と、補正値生成部４１１が既に保持する電力補正値との重み付き平均を計算する。補正値生成部４１１は、新たに生成された電力補正値を保持する。補正値生成部４１１は、保持された電力補正値を、受信された第１のゲイン調整値に乗算する。補正値生成部４１１は、電力補正値が乗算された第１のゲイン調整値を、当該キャリア信号を処理対象とする第１のゲイン調整部１２１１へ送信する。
【０１１６】
なお、マルチキャリア信号の送信開始後における電力補正値の生成処理は、所定の時間間隔で所定の回数繰り返し行われてよい。電力補正値の生成処理が繰り返し行われることで、ピーク電力の低減処理が施されたキャリア信号の送信出力電力と該キャリア信号の所定の基準出力電力との誤差を抑制する精度を向上させることができる。
【０１１７】
このように、補正値生成部４１１は、電力補正値を生成し、生成された電力補正値が乗算された第１のゲイン調整値を第１のゲイン調整部１２１１へ送信する点で、補正値生成部１１１（図１参照）と同様の機能を有する。しかしながら、補正値生成部４１１は、マルチキャリア信号の送信開始後に、ピーク電力低減処理が施される前のキャリア信号の電力とピーク電力低減処理が施された後のキャリア信号の電力とを用いて電力補正値を生成する点で、補正値生成部１１１とは異なる。
【０１１８】
Ｎ個の補正値生成部４１１−１〜４１１−Ｎは、第１の電力計算部４１１１、第２の電力計算部４１１２、差分検出部４１１３、補正値取得部４１１４、及び電力補正値テーブル４１１５を夫々含む。
【０１１９】
補正値取得部４１１４は、処理対象のキャリア信号の第１のゲイン調整値を上位装置から受信する。また、補正値取得部４１１４は、マルチキャリア信号に多重される各キャリア信号のキャリア周波数の情報を上位装置から受信する。補正値取得部４１１４は、受信されたキャリア周波数の情報を参照して、最も高いキャリア周波数から最も低いキャリア周波数を減算することで、マルチキャリア信号の占有帯域幅を算出する。補正値取得部４１１４は、算出された占有帯域幅に対応する電力補正値を電力補正値テーブル４１１５から取得する。電力補正値テーブル４１１５は、例えば図３に示すようなテーブルである。補正値取得部４１１４は、取得された電力補正値を保持する。補正値取得部４１１４は、保持された電力補正値を受信された第１のゲイン調整値に乗算する。補正値取得部４１１４は、電力補正値が乗算された第１のゲイン調整値を、当該キャリア信号を処理対象とする第１のゲイン調整部１２１１へ送信する。
【０１２０】
マルチキャリア信号の送信開始後、第１の電力計算部４１１１は、処理対象のキャリア信号の第１の電力を、該キャリア信号を処理対象とするピーク電力低減部１２１２に入力されるキャリアのベースバンド信号から計算する。第２の電力計算部４１１２は、処理対象のキャリア信号の第２の電力を、該キャリア信号を処理対象とするピーク電力低減部１２１２から出力されたキャリアのベースバンド信号から計算する。差分検出部４１１３は、第１の電力計算部４１１１により計算された第１の電力と第２の電力計算部４１１２により計算された第２の電力との差分を検出する。補正値取得部４１１４は、差分検出部４１１３により検出された電力の差分値を取得する。補正値取得部４１１４は、取得された電力の差分値と既に保持された電力補正値との重み付き平均を計算する。補正値取得部４１１４は、計算された値を新たな電力補正値として保持する。補正値取得部４１１４は、保持された電力補正値を、上位装置から受信した第１のゲイン調整値に乗算する。補正値取得部４１１４は、電力補正値が乗算された第１のゲイン調整値を、当該キャリア信号を処理対象とする第１のゲイン調整部１２１１へ送信する。
【０１２１】
このように、補正値生成部４１１は、信号処理部１２０により実際に処理されるキャリアのベースバンド信号を用いて電力補正値を生成するため、電力補正値は、精度よく生成される。
【０１２２】
第１のゲイン調整部１２１１は、電力補正値が乗算された第１のゲイン調整値を補正値取得部４１１４から受信する。第１のゲイン調整部１２１１は、電力補正値が乗算された第１のゲイン調整値に従って、入力されたキャリア信号の出力電力を該キャリア信号の所定の基準出力電力に対応させて調整する。すなわち、第１のゲイン調整部１２１１は、出力電力補正部１２１５による補正処理を伴って、処理対象のキャリアのベースバンド信号の電力を調整する。
【０１２３】
なお、補正値取得部４１１４は、電力補正値及び第１のゲイン調整値を別々に第１のゲイン調整部１２１１へ送信するように構成されてもよい。第１のゲイン調整部１２１１は、受信された第１のゲイン調整値に従って、入力されたキャリアのベースバンド信号の出力電力を該キャリア信号の所定の基準出力電力に対応させて下げるように構成されてもよい。第１のゲイン調整部１２１１に含まれる出力電力補正部１２１５は、第１のゲイン調整値に従って下げられた、キャリアのベースバンド信号の出力電力を、受信された電力補正値に従って補正するように構成されてもよい。
【０１２４】
補正値生成部４１１及び出力電力補正部１２１５による上述の処理を通じて、ピーク電力の低減処理が施されたキャリア信号の送信出力電力と該キャリア信号の所定の基準出力電力との誤差は、マルチキャリア信号の占有帯域幅に対応して抑制される。この結果、マルチキャリア信号に含まれる各キャリア信号の送信出力電力の精度は、マルチキャリア信号の占有帯域幅の広さに関係なく向上する。
【０１２５】
なお、上記は、第３の実施形態に従った無線装置の構成例にすぎず、例えば、第３の実施形態に従った無線装置は、以下の処理を実行するように構成されてもよい。すなわち、制御処理部４１０は、補正値生成部４１１により生成された電力補正値を、送信されるマルチキャリア信号の占有帯域幅と対応付けて記憶する。制御処理部４１０は、上位装置から新たに通知されたキャリア周波数の情報を用いて、新たに送信されるマルチキャリア信号の占有帯域幅を計算する。制御処理部４１０は、計算された占有帯域幅に対応する電力補正値を既に記憶しているか否かを判定する。計算された占有帯域幅に対応する電力補正値が記憶されていると判定された場合、制御処理部４１０は、計算された占有帯域幅に対応する電力補正値を第１のゲイン調整部１２１１へ通知する。計算された占有帯域幅に対応する電力補正値が記憶されていないと判定された場合、制御処理部４１０は、計算された占有帯域幅に対応する電力補正値を補正値生成部４１１による処理を通じて生成し、生成された電力補正値を第１のゲイン調整部１２１１へ通知する。こうした構成によれば、無線装置４００は、キャリア周波数の情報が上位装置から新たに通知される度に電力補正値を生成しなくてもよい。この結果、上述の構成によれば、ピーク電力の低減処理が施されたキャリア信号の送信出力電力と該キャリア信号の所定の基準出力電力との誤差をマルチキャリア信号の占有帯域幅に応じて抑制するための処理をより高速化及び簡素化できる。
【０１２６】
また、上述の説明では、補正値取得部４１１４は、送信開始時点における電力補正値を電力補正値テーブル４１１５から取得する。しかしながら、無線装置４００は電力補正値テーブル４１１５を備えず、補正値取得部４１１４は、送信開始時点における電力補正値としてデフォルト値を保持するように構成されてもよい。こうした構成によっても、マルチキャリア信号の送信中において、ピーク電力の低減処理が施されたキャリア信号の送信出力電力と該キャリア信号の所定の基準出力電力との誤差は、マルチキャリア信号の占有帯域幅に応じて抑制される。
【０１２７】
無線装置４００が行うマルチキャリア信号の送信方法の一例を説明する。図１３は、第３の実施形態に従った無線装置が行うマルチキャリア信号の送信処理フローの例図である。図１３に示す一例では、制御処理部４１０により設定される制御値は、電力補正値が乗算された第１のゲイン調整値、ピーク電力閾値、及びキャリア周波数である。なお、図１３において、ステップＳ３００３、ステップＳ３００４、及びステップＳ３００５の各処理は時間的に並行して行われてよい。
【０１２８】
マルチキャリア信号を送信するための一連の処理が開始されると（ステップＳ３００１）、制御処理部４１０は、上位装置から制御情報を受信する（ステップＳ３００２）。具体的には、補正値取得部４１１４は、処理対象のキャリア信号の第１のゲイン調整値と各キャリア信号のキャリア周波数の情報とを上位装置から受信する。閾値通知部１１２は、送信対象のマルチキャリア信号の無線アクセス技術の情報を上位装置から受信する。周波数通知部１１３は、処理対象のキャリア信号のキャリア周波数の情報を上位装置から受信する。
【０１２９】
ステップＳ３００３において、閾値通知部１１２は、受信された無線アクセス技術に従った所定のピーク電力閾値をピーク低減値演算部１３０へ送信する。ピーク低減値演算部１３０はピーク電力閾値を閾値通知部１１２から受信する。ピーク低減値演算部１３０は、受信されたピーク電力閾値を、各送信信号処理部３２１が生成したキャリア信号が多重されたマルチキャリア信号の電力閾値として設定する。
【０１３０】
ステップＳ３００４において、周波数通知部１１３は、受信されたキャリア周波数の値を、当該キャリア信号を処理対象とする信号処理部１２０内の変調部１２１４、１２２２へ送信する。変調部１２１４、１２２２は、処理対象のキャリア信号のキャリア周波数を周波数通知部１１３から受信する。変調部１２１４、１２２２は、入力されたベースバンド信号を変調するためのキャリア周波数として、受信されたキャリア周波数を設定する。
【０１３１】
ステップＳ３００５において、補正値取得部４１１４は、受信されたキャリア周波数の情報を参照して、最も高いキャリア周波数から最も低いキャリア周波数を減算することで、マルチキャリア信号の占有帯域幅を算出する。補正値取得部４１１４は、算出された占有帯域幅に対応する電力補正値を電力補正値テーブル４１１５から取得し、取得された電力補正値を保持する。補正値取得部４１１４は、保持された電力補正値を受信された第１のゲイン調整値に乗算する。補正値取得部４１１４は、電力補正値が乗算された第１のゲイン調整値を、当該キャリア信号を処理対象とする第１のゲイン調整部１２１１へ送信する。
【０１３２】
第１のゲイン調整部１２１１は、電力補正値が乗算された第１のゲイン調整値を補正値取得部４１１４から受信する。第１のゲイン調整部１２１１は、出力電力補正部１２１５を含む当該第１のゲイン調整部１２１１により調整されるゲイン調整値として、電力補正値が乗算された第１のゲイン調整値を設定する。
【０１３３】
ステップＳ３００６において、無線装置４００は、設定された制御値に従ってマルチキャリア信号の送信を開始する。具体的には、第１のゲイン調整部１２１１は、上位装置から送信されたキャリアのベースバンド信号を受信する。そして、各送信信号処理部１２１は、設定された制御値に従ってキャリア信号を生成する。各送信信号処理部１２１により生成されたキャリア信号は、合成部１４０により合成され、マルチキャリア信号が生成される。合成部１４０により生成されたマルチキャリア信号は、歪補償部１５０、デジタル／アナログ変換器１６０、無線周波数変換部１７０、及び電力増幅器１８０による処理を経て、アンテナ１９０を介して送信される。
【０１３４】
マルチキャリア信号の送信が開始されると、ステップＳ３００７〜ステップＳ３０１４での処理が所定回数（Ｍは、１以上の任意の整数）だけ繰り返される。
【０１３５】
ステップＳ３００８において、第１の電力計算部４１１１は、当該第１の電力計算部４１１１と同じキャリア信号を処理対象とするピーク電力低減部１２１２に入力されるキャリアのベースバンド信号の電力を所定時間に渡って積分する。ステップＳ３００９において、第２の電力計算部４１１２は、当該第２の電力計算部４１１２と同じキャリア信号を処理対象とするピーク電力低減部１２１２から出力されたキャリアのベースバンド信号の電力を所定時間に渡って積分する。
【０１３６】
ステップＳ３０１０において、差分検出部４１１３は、第１の電力計算部４１１１により計算された第１の電力と第２の電力計算部４１１２により計算された第２の電力との差分を検出する。補正値取得部４１１４は、差分検出部４１１３により検出された電力の差分値を取得する。ステップＳ３０１１において、補正値取得部４１１４は、取得された電力の差分値と既に保持された電力補正値との重み付き平均を計算し、計算された値を新たな電力補正値として保持する。ステップＳ３０１２において、補正値取得部４１１４は、保持された電力補正値を、上位装置から受信した第１のゲイン調整値と乗算する。補正値取得部４１１４は、電力補正値が乗算された第１のゲイン調整値を、当該キャリア信号を処理対象とする第１のゲイン調整部１２１１へ送信する。
【０１３７】
ステップＳ３０１３において、第１のゲイン調整部１２１１は、電力補正値が乗算された第１のゲイン調整値を補正値取得部４１１４から受信する。第１のゲイン調整部１２１１は、出力電力補正部１２１５を含む当該第１のゲイン調整部１２１１により調整されるゲイン調整値として、電力補正値が乗算された第１のゲイン調整値を設定する。
【０１３８】
マルチキャリア信号の送信が終了すると、一連の処理は終了する（ステップＳ３０１５）。
【０１３９】
このように、第３の実施形態に従った無線装置４００によれば、ピーク電力の低減処理が施されたキャリア信号の送信出力電力と該キャリア信号の所定の基準出力電力との誤差は、マルチキャリア信号の占有帯域幅に対応してより精度よく抑制される。この結果、マルチキャリア信号に含まれる各キャリア信号の送信出力電力の精度は、マルチキャリア信号の占有帯域幅の広さに関係なくより向上する。
【０１４０】
＜第４の実施形態＞
第２の実施形態では、無線装置は、ピーク電力の低減処理が施されたキャリア信号の送信出力電力と該キャリア信号の所定の基準出力電力との誤差を、キャリア信号に対してピーク電力の低減処理が施された後に抑制する。また、第２の実施形態では、無線装置は、こうした誤差を補正するためにマルチキャリア信号の占有帯域幅毎の電力補正値を予め保持する。しかしながら、無線装置は、送信対象のマルチキャリア信号に多重されるキャリア信号に対する電力補正値を、該キャリア信号を生成する間に生成するように構成されてもよい。
【０１４１】
図１４は、第４の実施形態に従った無線装置の例示的な機能構成図である。図１４において、第４の実施形態に従った無線装置５００の構成要素の内、無線装置３００（図９参照）と同じ構成要素には、無線装置３００の該構成要素の参照符号と同じ参照符号が付されている。無線装置５００は、例えば、図８に示したハードウェアにより構成される。
【０１４２】
図１４に示すように、無線装置５００は、制御処理部３１０（図９参照）に代わって制御処理部５１０を含む。制御処理部５１０は、Ｎ個の補正値生成部３１２−１〜３１２−２（図９参照）に代わってＮ個の補正値生成部５１１−１〜５１１−Ｎを含む。
【０１４３】
補正値生成部５１１は、処理対象のキャリア信号の第２のゲイン調整値を予め保持する。また、補正値生成部５１１は、処理対象のキャリア信号に対する電力補正値の初期値をマルチキャリア信号の占有帯域幅毎に記憶する。例えば、補正値生成部５１１は、図３に示すような電力補正値テーブルを記憶する。
【０１４４】
補正値生成部５１１は、マルチキャリア信号に多重される各キャリア信号のキャリア周波数の情報を上位装置から受信する。補正値生成部５１１は、受信された各キャリア周波数の情報を用いて、マルチキャリア信号の占有帯域幅を計算する。補正値生成部５１１は、計算された占有帯域幅に対応する電力補正値の初期値を、記憶された電力補正値の初期値の中から選択する。補正値生成部５１１は、選択された電力補正値の初期値を、当該キャリア信号を処理対象とする信号処理部３２０内の出力電力補正部３２１３、３２２２に用いられる電力補正値として保持する。補正値生成部５１１は、保持された電力補正値を、予め保持された第２のゲイン調整値に乗算する。補正値生成部５１１は、電力補正値が乗算された第２のゲイン調整値を、当該キャリア信号を処理対象とする信号処理部３２０内の第２のゲイン調整部３２１２、３２２１へ送信する。
【０１４５】
また、マルチキャリア信号の送信が開始された後、補正値生成部５１１は、第１の電力と第２の電力との差分値を用いて電力補正値を生成する。前述したように、第１の電力と第２の電力との差分値を用いて計算される電力補正値は、マルチキャリア信号の占有帯域幅に従って生成される値と言える。例えば、補正値生成部４１１は、第１の電力と第２の電力との差分値と、既に保持された電力補正値との重み付き平均を計算する。補正値生成部４１１は、新たに生成された電力補正値を保持する。
【０１４６】
補正値生成部５１１は、保持された電力補正値を予め保持された第２のゲイン調整値に乗算する。補正値生成部５１１は、電力補正値が乗算された第２のゲイン調整値を、当該キャリア信号を処理対象とする信号処理部３２０内の第２のゲイン調整部３２１２、３２２１へ送信する。
【０１４７】
なお、マルチキャリア信号の送信開始後における電力補正値の生成処理は、所定の時間間隔で所定の回数繰り返し行われてよい。電力補正値の生成処理が繰り返し行われることで、ピーク電力の低減処理が施されたキャリア信号の送信出力電力と該キャリア信号の所定の基準出力電力との誤差を抑制する精度を向上させることができる。
【０１４８】
このように、補正値生成部５１１は、電力補正値を生成し、生成された電力補正値が乗算された第２のゲイン調整値を第２のゲイン調整部３２１２、３２２１へ送信する点で、補正値生成部３１２と同様の機能を有する。しかしながら、補正値生成部５１１は、マルチキャリア信号の送信開始後に、ピーク電力の低減処理が施される前のキャリア信号の電力とピーク電力の低減処理が施された後のキャリア信号の電力とを用いて電力補正値を生成する点で補正値生成部３１２とは異なる。
【０１４９】
Ｎ個の補正値生成部５１１−１〜５１１−Ｎは、第１の電力計算部５１１１、第２の電力計算部５１１２、差分検出部５１１３、補正値取得部５１１４、及び電力補正値テーブル５１１５を夫々含む。
【０１５０】
補正値取得部５１１４は、処理対象のキャリア信号の第２のゲイン調整値を予め保持する。補正値取得部５１１４は、マルチキャリア信号に多重される各キャリア信号のキャリア周波数の情報を上位装置から受信する。補正値取得部５１１４は、受信されたキャリア周波数の情報を参照して、最も高いキャリア周波数から最も低いキャリア周波数を減算することで、マルチキャリア信号の占有帯域幅を算出する。補正値取得部５１１４は、算出された占有帯域幅に対応する電力補正値を電力補正値テーブル５１１５から取得する。電力補正値テーブル５１１５は、例えば図３に示すようなテーブルである。補正値取得部５１１４は、取得された電力補正値を保持する。補正値取得部５１１４は、保持された電力補正値を予め保持された第２のゲイン調整値に乗算する。補正値取得部５１１４は、電力補正値が乗算された第２のゲイン調整値を、当該キャリア信号を処理対象とする信号処理部３２０内の第２のゲイン調整部３２１２、３２２１へ送信する。
【０１５１】
マルチキャリア信号の送信開始後、第１の電力計算部５１１１は、処理対象のキャリア信号の第１の電力を、該キャリア信号を処理対象とするピーク電力低減部１２１２に入力されるキャリアのベースバンド信号から計算する。第２の電力計算部５１１２は、処理対象のキャリア信号の第２の電力を、該キャリア信号を処理対象とするピーク電力低減部１２１２から出力されたキャリアのベースバンド信号から計算する。差分検出部５１１３は、第１の電力計算部５１１１により計算された第１の電力と第２の電力計算部５１１２により計算された第２の電力との差分を検出する。補正値取得部５１１４は、差分検出部５１１３により検出された電力の差分値を取得する。補正値取得部５１１４は、取得された電力の差分値と既に保持された電力補正値との重み付き平均を計算する。補正値取得部５１１４は、計算された値を新たな電力補正値として保持する。補正値取得部５１１４は、保持された電力補正値を予め保持する第２のゲイン調整値と乗算する。補正値取得部５１１４は、電力補正値が乗算された第２のゲイン調整値を、当該キャリア信号を処理対象とする信号処理部３２０内の第２のゲイン調整部３２１２、３２２１へ送信する。
【０１５２】
このように、補正値生成部５１１は、出力電力補正部３２１３へ通知される電力補正値を予め保持せずに生成する。また、補正値生成部５１１は、信号処理部３２０により実際に処理されるキャリアのベースバンド信号を用いて電力補正値を生成するため、電力補正値は、精度よく生成される。
【０１５３】
第２のゲイン調整部３２１２は、第２のゲイン調整値が乗算された電力補正値を補正値取得部５１１４から受信する。第２のゲイン調整部３２１２は、第２のゲイン調整値が乗算された電力補正値に従って、入力されたキャリア信号の出力電力を、デジタル／アナログ変換器１６０が最適動作点で動作するように調整する。すなわち、第２のゲイン調整部３２１２は、出力電力補正部３２１３による補正処理を伴って、処理対象のキャリアのベースバンド信号の電力を調整する。なお、第２のゲイン調整部３２２１は、第２のゲイン調整部３２１２と同様に動作する。
【０１５４】
なお、補正値取得部５１１４は、電力補正値及び第２のゲイン調整値を別々に、当該キャリア信号を処理対象とする第２のゲイン調整部３２１２へ送信するように構成されてもよい。第２のゲイン調整部３２１２は、入力されたキャリアのベースバンド信号の出力電力を、受信された第２のゲイン調整値に従って上げるように構成されてもよい。第２のゲイン調整部３２１２に含まれる出力電力補正部３２１３は、第２のゲイン調整値に従って上げられた、キャリアのベースバンド信号の出力電力を、受信された電力補正値に従って補正するように構成されてもよい。第２のゲイン調整部３２２１及び出力電力補正部３２２２は、第２のゲイン調整部３２１２及び出力電力補正部３２１３と同様に動作するように構成されてもよい。
【０１５５】
補正値生成部５１１及び出力電力補正部３２１３による上述の処理を通じて、ピーク電力の低減処理が施されたキャリア信号の送信出力電力と該キャリア信号の所定の基準出力電力との誤差は、マルチキャリア信号の占有帯域幅に対応して抑制される。この結果、マルチキャリア信号に含まれる各キャリア信号の送信出力電力の精度は、マルチキャリア信号の占有帯域幅の広さに関係なく向上する。
【０１５６】
なお、上記は、第４の実施形態に従った無線装置の構成例にすぎず、例えば、第４の実施形態に従った無線装置は、以下の処理を実行するように構成されてもよい。すなわち、制御処理部５１０は、補正値生成部５１１により生成された電力補正値を、送信されるマルチキャリア信号の占有帯域幅と対応付けて記憶する。制御処理部５１０は、上位装置から新たに通知されたキャリア周波数の情報を用いて、新たに送信されるマルチキャリア信号の占有帯域幅を計算する。制御処理部５１０は、計算された占有帯域幅に対応する電力補正値を既に記憶しているか否かを判定する。計算された占有帯域幅に対応する電力補正値が既に記憶されていると判定された場合、制御処理部５１０は、計算された占有帯域幅に対応する電力補正値を第２のゲイン調整部３２１２、３２２１へ通知する。計算された占有帯域幅に対応する電力補正値が記憶されていないと判定された場合、制御処理部５１０は、計算された占有帯域幅に対応する電力補正値を補正値生成部５１１による処理を通じて生成し、生成された電力補正値を第２のゲイン調整部３２１２、３２２１へ通知する。こうした構成によれば、無線装置５００は、キャリア周波数の情報が上位装置から新たに通知される度に電力補正値を生成しなくてもよい。この結果、上述の構成によれば、ピーク電力の低減処理が施されたキャリア信号の送信出力電力と該キャリア信号の所定の基準出力電力との誤差をマルチキャリア信号の占有帯域幅に応じて抑制するための処理をより高速化及び簡素化できる。
【０１５７】
また、上述の説明では、補正値取得部５１１４は、送信開始時点における電力補正値を電力補正値テーブル５１１５から取得する。しかしながら、無線装置５００は電力補正値テーブル５１１５を備えず、補正値取得部５１１４は、送信開始時点における電力補正値としてデフォルト値を保持するように構成されてもよい。こうした構成によっても、マルチキャリア信号の送信中において、ピーク電力の低減処理が施されたキャリア信号の送信出力電力と該キャリア信号の所定の基準出力電力との誤差は、マルチキャリア信号の占有帯域幅に応じて抑制される。
【０１５８】
無線装置５００が行うマルチキャリア信号の送信方法の一例を説明する。図１５は、第４の実施形態に従った無線装置が行うマルチキャリア信号の送信処理フローの例図である。図１５に示す一例では、制御処理部５１０により設定される制御値は、第１のゲイン調整値、ピーク電力閾値、キャリア周波数、及び電力補正値が乗算された第２のゲイン調整値である。なお、図１５において、ステップＳ４００３、ステップＳ４００４、及びステップＳ４００５の各処理は時間的に並行して行われてよい。
【０１５９】
マルチキャリア信号を送信するための一連の処理が開始されると（ステップＳ４００１）、制御処理部５１０は、上位装置から制御情報を受信する（ステップＳ４００２）。具体的には、調整値通知部３１１は、処理対象のキャリア信号の第１のゲイン調整値を上位装置から受信する。閾値通知部１１２は、送信対象のマルチキャリア信号の無線アクセス技術の情報を上位装置から受信する。補正値取得部５１１４は、マルチキャリア信号に多重される各キャリア信号のキャリア周波数の情報を上位装置から受信する。周波数通知部１１３は、処理対象のキャリア信号のキャリア周波数の情報を上位装置から受信する。
【０１６０】
ステップＳ４００３において、調整値通知部３１１は、受信された第１のゲイン設定値を、当該キャリア信号を処理対象とする第１のゲイン調整部３２１１へ送信する。第１のゲイン調整部３２１１は、処理対象のキャリア信号の第１のゲイン設定値を調整値通知部３１１から受信する。第１のゲイン調整部３２１１は、入力されたキャリアのベースバンド信号の出力電力を該キャリア信号の所定の基準出力電力に調整する値として、受信された第１のゲイン調整値を設定する。
【０１６１】
ステップＳ４００４において、閾値通知部１１２は、受信された無線アクセス技術に従った所定のピーク電力閾値をピーク低減値演算部１３０へ送信する。ピーク低減値演算部１３０はピーク電力閾値を閾値通知部１１２から受信する。ピーク低減値演算部１３０は、受信されたピーク電力閾値を、各送信信号処理部１２１が生成したキャリア信号が多重されたマルチキャリア信号の電力閾値として設定する。
【０１６２】
ステップＳ４００５において、周波数通知部１１３は、受信されたキャリア周波数の値を、当該キャリア信号を処理対象とする信号処理部３２０内の変調部１２１４、１２２２へ送信する。変調部１２１４、１２２２は、処理対象のキャリア信号のキャリア周波数を周波数通知部１１３から受信する。変調部１２１４、１２２２は、入力されたベースバンド信号を変調するためのキャリア周波数として、受信されたキャリア周波数を設定する。
【０１６３】
ステップＳ４００６において、補正値取得部５１１４は、受信されたキャリア周波数の情報を参照して、最も高いキャリア周波数から最も低いキャリア周波数を減算することで、マルチキャリア信号の占有帯域幅を算出する。補正値取得部５１１４は、算出された占有帯域幅に対応する電力補正値を電力補正値テーブル５１１５から取得し、取得された電力補正値を保持する。補正値取得部５１１４は、保持された電力補正値を受信された第２のゲイン調整値に乗算する。補正値取得部５１１４は、電力補正値が乗算された第２のゲイン調整値を、当該キャリア信号を処理対象とする第２のゲイン調整部３２１２、３２２１へ送信する。
【０１６４】
第２のゲイン調整部３２１２は、電力補正値が乗算された第２のゲイン調整値を補正値取得部５１１４から受信する。第２のゲイン調整部３２１２は、出力電力補正部３２１３を含む当該第２のゲイン調整部３２１２により調整されるゲイン調整値として、電力補正値が乗算された第２のゲイン調整値を設定する。第２のゲイン調整部３２２１は、第２のゲイン調整部３２１２と同様の動作によって、電力補正値が乗算された第２のゲイン調整値を設定する。
【０１６５】
ステップＳ４００７において、無線装置５００は、設定された制御値に従ってマルチキャリア信号の送信を開始する。具体的には、第１のゲイン調整部３２１１は、上位装置から送信されたキャリアのベースバンド信号を受信する。そして、各送信信号処理部３２１は、設定された制御値に従ってキャリア信号を生成する。各送信信号処理部３２１により生成されたキャリア信号は、合成部１４０により合成され、マルチキャリア信号が生成される。合成部１４０により生成されたマルチキャリア信号は、歪補償部１５０、デジタル／アナログ変換器１６０、無線周波数変換部１７０、及び電力増幅器１８０による処理を経て、アンテナ１９０を介して送信される。
【０１６６】
マルチキャリア信号の送信が開始されると、ステップＳ４００８〜ステップＳ４０１５での処理が所定回数Ｍ（Ｍは、１以上の任意の整数）だけ繰り返される。
【０１６７】
ステップＳ４００９において、第１の電力計算部５１１１は、当該第１の電力計算部５１１１と同じキャリア信号を処理対象とするピーク電力低減部１２１２に入力されるキャリアのベースバンド信号の電力を所定時間に渡って積分する。ステップＳ４０１０において、第２の電力計算部５１１２は、当該第２の電力計算部５１１２と同じキャリア信号を処理対象とするピーク電力低減部１２１２から出力されたキャリアのベースバンド信号の電力を所定時間に渡って積分する。
【０１６８】
ステップＳ４０１１において、差分検出部５１１３は、第１の電力計算部５１１１により計算された第１の電力と第２の電力計算部５１１２により計算された第２の電力との差分を検出する。補正値取得部５１１４は、差分検出部５１１３により検出された電力の差分値を取得する。ステップＳ４０１２において、補正値取得部５１１４は、取得された電力の差分値と保持された電力補正値との重み付き平均を計算し、計算された値を新たな電力補正値として保持する。ステップＳ４０１３において、補正値取得部５１１４は、保持された電力補正値を予め保持する第２のゲイン調整値と乗算する。補正値取得部５１１４は、電力補正値が乗算された第２のゲイン調整値を、当該キャリア信号を処理対象とする第２のゲイン調整部３２１２、３２２１へ送信する。
【０１６９】
ステップＳ４０１４において、第２のゲイン調整部３２１２は、電力補正値が乗算された第２のゲイン調整値を補正値取得部５１１４から受信する。第２のゲイン調整部３２１２は、出力電力補正部３２１３を含む当該第２のゲイン調整部３２１２により調整されるゲイン調整値として、電力補正値が乗算された第２のゲイン調整値を設定する。第２のゲイン調整部３２２１は、第２のゲイン調整部３２１２と同様の動作によって、電力補正値が乗算された第２のゲイン調整値を設定する。
【０１７０】
マルチキャリア信号の送信が終了すると、一連の処理は終了する（ステップＳ４０１６）。
【０１７１】
このように、第４の実施形態に従った無線装置５００によれば、ピーク電力の低減処理が施されたキャリア信号の送信出力電力と該キャリア信号の所定の基準出力電力との誤差は、マルチキャリア信号の占有帯域幅に対応してより精度よく抑制される。この結果、マルチキャリア信号に含まれる各キャリア信号の送信出力電力の精度は、マルチキャリア信号の占有帯域幅の広さに関係なくより向上する。
【０１７２】
第１の実施形態から第４の実施形態を含む発明を実施するための形態に関し、更に以下の付記を開示する。
（付記１）
複数のキャリア信号を多重させたマルチキャリア信号に生じるピーク電力に応じて前記多重前の前記キャリア信号の利得を低減するピーク電力低減部と、
前記マルチキャリア信号の占有帯域幅に応じた電力補正値を用いて前記多重前のキャリア信号の電力を補正する出力電力補正部と
を含む無線装置。
（付記２）
前記電力補正値が前記マルチキャリア信号の占有帯域幅毎に記録された電力補正値テーブルと、
前記キャリア信号に対応するキャリア周波数の情報を用いて前記マルチキャリア信号の占有帯域幅を算出し、算出された前記占有帯域幅に対応する電力補正値を前記電力補正値テーブルから取得して前記出力電力補正部へ通知する補正値取得部と
を含む請求項１に記載の無線装置。
（付記３）
前記補正値取得部は、前記マルチキャリア信号の送信出力電力が前記マルチキャリア信号の所定の基準出力電力になるように前記キャリア信号のゲインを調整するための第１のゲイン調整値を前記無線装置の上位装置から受信し、受信された前記第１のゲイン調整値に、取得された前記電力補正値を乗算し、前記電力補正値が乗算された前記第１のゲイン調整値を前記出力電力補正部へ送信し、
前記出力電力補正部は、前記電力補正値が乗算された前記第１のゲイン調整値を前記補正値取得部から受信し、前記ピーク電力低減部によりピーク電力が低減される前の前記キャリア信号の電力を、受信された前記電力補正値を用いて補正する
付記２に記載の無線装置。
（付記４）
前記補正値取得部は、無線周波数に変換される前の前記マルチキャリア信号がデジタル／アナログ変換器の最適動作点でデジタルからアナログへ変換されるように前記キャリア信号のゲインを調整するための第２のゲイン調整値を保持し、保持された前記第２のゲイン調整値に、取得された前記電力補正値を乗算し、前記電力補正値が乗算された前記第２のゲイン調整値を前記出力電力補正部へ送信し、
前記出力電力補正部は、前記電力補正値が乗算された前記第２のゲイン調整値を前記補正値取得部から受信し、前記ピーク電力低減部によりピーク電力が低減された後の前記キャリア信号の電力を、受信された前記電力補正値を用いて補正する
付記２に記載の無線装置。
（付記５）
無線周波数に変換される前の前記マルチキャリア信号がデジタル／アナログ変換器の最適動作点でデジタルからアナログへ変換されるように前記キャリア信号のゲインを調整するための第２のゲイン調整値が乗算された前記電力補正値が前記マルチキャリア信号の占有帯域幅毎に記録された電力補正値テーブルと、
前記マルチキャリア信号の占有帯域幅を前記マルチキャリア信号に含まれる各キャリア周波数の情報を用いて算出し、算出された前記占有帯域幅に対応する電力補正値を前記電力補正値テーブルから取得し、取得された前記電力補正値を前記出力電力補正部へ通知する補正値取得部と
を含み、
前記出力電力補正部は、前記第２のゲイン調整値が乗算された前記電力補正値を前記補正値取得部から受信し、前記ピーク電力低減部によりピーク電力が低減された後の前記キャリア信号の電力を、受信された前記電力補正値を用いて補正する
付記１に記載の無線装置。
（付記６）
前記ピーク電力低減部によりピーク電力が低減される前の前記キャリア信号の第１の電力を計算する第１の電力計算部と、
前記ピーク電力低減部によりピーク電力が低減された後の前記キャリア信号の第２の電力を計算する第２の電力計算部と、
前記第１の電力計算部により計算された第１の電力と前記第２の電力計算部により計算された第２の電力との差分を検出する差分検出部と、
前記差分検出部により検出された前記差分から、前記マルチキャリア信号の占有帯域幅に応じた電力補正値を取得する補正値取得部と
を含む請求項１に記載の無線装置。
（付記７）
前記補正値取得部は、前記マルチキャリア信号の送信出力電力が前記マルチキャリア信号の所定の基準出力電力になるように前記キャリア信号のゲインを調整するための第１のゲイン調整値を前記無線装置の上位装置から受信し、受信された前記第１のゲイン調整値に、取得された前記電力補正値を乗算し、前記電力補正値が乗算された前記第１のゲイン調整値を前記出力電力補正部へ送信し、
前記出力電力補正部は、前記電力補正値が乗算された前記第１のゲイン調整値を前記補正値取得部から受信し、前記ピーク電力低減部によりピーク電力が低減される前の前記キャリア信号の電力を、受信された前記電力補正値を用いて補正する
付記６に記載の無線装置。
（付記８）
前記補正値取得部は、無線周波数に変換される前の前記マルチキャリア信号がデジタル／アナログ変換器の最適動作点でデジタルからアナログへ変換されるように前記キャリア信号のゲインを調整するための第２のゲイン調整値を保持し、保持された前記第２のゲイン調整値に、取得された前記電力補正値を乗算し、前記電力補正値が乗算された前記第２のゲイン調整値を前記出力電力補正部へ送信し、
前記出力電力補正部は、前記電力補正値が乗算された前記第２のゲイン調整値を前記補正値取得部から受信し、前記ピーク電力低減部によりピーク電力が低減された後の前記キャリア信号の電力を、受信された前記電力補正値を用いて補正する
付記６に記載の無線装置。
【符号の説明】
【０１７３】
１００、２００、３００、４００、５００      無線装置
１１０、３１０、４１０、５１０      制御処理部
１１１、３１２、４１１、５１１      補正値生成部
１１１１、３１２１、４１１５、５１１５      電力補正値テーブル
１１１２、３１２２、４１１４、５１１４      補正値取得部
４１１１、５１１１      第１の電力計算部
４１１２、５１１２      第２の電力計算部
４１１３、５１１３      差分検出部
１１２      閾値通知部
１１３      周波数通知部
３１１      調整値通知部
１２０、３２０      信号処理部
１２１      送信信号処理部
１２１１、３２１１      第１のゲイン調整部
１２１２      ピーク電力低減部
１２１３、３２１２      第２のゲイン調整部
１２１４      変調部
１２１５、３２１３      出力電力補正部
１２２、３２２      レプリカ信号処理部
１２２１、３２２１      第２のゲイン調整部
１２２２      変調部
３２２２      出力電力補正部
１３０      ピーク電力値演算部
１３１      合成部
１３２      電力演算部
１３３      比較部
１３４      係数算出部
１４０      合成部
１５０      歪補償部
１６０、２４０      デジタル／アナログ変換器(Digital to Analog Converter (DAC))
１７０      無線周波数変換部
１８０、２６０      電力増幅器
１９０、２８０      アンテナ
２１０      プロセッサ
２２０      メモリ
２３０      Field Programmable Gate Array (FPGA)
２３０１      通信インタフェース
２３０２      Digital Pre-distortion (DPD)
２５０      アップコンバータ
２７０      フィルタ
【図１】
2016144120.tif 000003
【図２】
2016144120.tif 000004
【図３】
2016144120.tif 000005
【図４Ａ】
2016144120.tif 000006
【図４Ｂ】
2016144120.tif 000007
【図５】
2016144120.tif 000008
【図６Ａ】
2016144120.tif 000009
【図６Ｂ】
2016144120.tif 000010
【図７】
2016144120.tif 000011
【図８】
2016144120.tif 000012
【図９】
2016144120.tif 000013
【図１０】
2016144120.tif 000014
【図１１】
2016144120.tif 000015
【図１２】
2016144120.tif 000016
【図１３】
2016144120.tif 000017
【図１４】
2016144120.tif 000018
【図１５】
2016144120.tif 000019